(57)【要約】  本発明の実施形態は、心臓の生来の弁輪に弁プロテーゼを送達する方法に関し、生来の弁は腱索（ＣＴ）を有する。索管理カテーテル（５２０）は、心臓の心室内に位置付けられ、この索管理カテーテルは、その遠位端に変位構成要素（５３０）を有する。この変位構成要素は環形状を有し、その内部を通る中央内腔を画定する。この変位構成要素は、心室内で腱索を半径方向外向きに押すように半径方向に拡張される。弁送達システム（２０４０）は、心臓の心室壁を介して心臓の心室に導入される。この弁送達システムは、その遠位部分に弁プロテーゼ（１０１）を有する。この弁送達システムは、半径方向に拡張した変位構成要素の中央内腔を通って、心臓の生来の弁輪に向かって前進させられる。弁プロテーゼは、展開されて生来の弁と並置される。
2020500060.tif 000002
【特許請求の範囲】
【請求項１】
心臓の生来の弁輪に弁プロテーゼを送達する方法であって、前記生来の弁が腱索を有し、前記方法が、
前記心臓の心室内に索管理カテーテルを位置付ける工程であって、前記索管理カテーテルは、その遠位端に変位バルーンを有し、前記変位バルーンは、その内部を通る中央内腔を画定する環状構成要素である、工程と、
前記変位バルーンを前記心室内で膨張させて、腱索を半径方向外向きに押す工程と、
弁送達システムを、前記心臓の心室壁を介して前記心臓の前記心室に導入する工程であって、前記弁送達システムは、その遠位部分に前記弁プロテーゼを有し、前記弁プロテーゼは送達構成である、工程と、
前記膨張した変位バルーンの前記中央内腔を通って、前記心臓の前記生来の弁輪に向かって前記弁送達システムを前進させる工程と、
前記弁プロテーゼを展開して、前記生来の弁輪と並置する工程と、を含む、方法。
【請求項２】
前記心臓の前記心室内に索管理カテーテルを位置付ける前記工程が、前記索管理カテーテルを前記心臓の尖部に導入することを含む、請求項１に記載の方法。
【請求項３】
前記心臓の前記心室内に索管理カテーテルを位置付ける前記工程が、大動脈を通って左室内へと前記索管理カテーテルを前進させることを含む、請求項１に記載の方法。
【請求項４】
前記心臓の前記心室内に索管理カテーテルを位置付ける前記工程が、経中隔的に左房及び左室内へと前記索管理カテーテルを前進させることを含む、請求項１に記載の方法。
【請求項５】
前記変位バルーンは、円筒状又は球状の膨張した外形を有する、請求項１に記載の方法。
【請求項６】
前記変位バルーンの内側側壁が前記変位バルーンの外側側壁よりも強いように、前記内側側壁にコーティングが塗布される、請求項１に記載の方法。
【請求項７】
前記変位バルーンは第１膨張内腔と、第２膨張内腔と、を含み、前記変位バルーンを膨張させる前記工程が、前記第１膨張内腔を通って生理食塩水を送達すること、及び前記第２膨張内腔を通って造影剤溶液を送達すること、を含む、請求項１に記載の方法。
【請求項８】
前記第２膨張内腔は、３つの円周方向に離間したマーカーを含む模様を含む、請求項７に記載の方法。
【請求項９】
前記心臓の心室内に第２索管理カテーテルを位置付ける工程であって、前記索管理カテーテルは、その遠位端に第２変位バルーンを有し、前記第２変位バルーンは、その内部を通る第２中央内腔を画定する環状構成要素である、工程と、
前記第２変位バルーンを前記心室内で膨張させて、腱索を半径方向外向きに押す工程と、を更に含み、
前記弁送達システムを前進させる前記工程が、前記膨張した変位バルーンの前記中央内腔を通って、並びに前記膨張した第２変位バルーンの前記第２中央内腔を通って、前記弁送達システムを前進させることを含む、請求項１に記載の方法。
【請求項１０】
前記心臓の心室内に索管理カテーテルを位置付ける前記工程が、大動脈を通って左室内へと前記索管理カテーテルを前進させることを含み、前記心臓の左心室内に第２索管理カテーテルを位置付ける前記工程が、大動脈を通って左室内へと前記索管理カテーテルを前進させることを含む、請求項９に記載の方法。
【請求項１１】
前記弁プロテーゼを展開する前記工程に先立って、前記変位バルーンを収縮させ、前記索管理カテーテルを少なくとも部分的に取り出す工程を更に含む、請求項１に記載の方法。
【請求項１２】
心臓の生来の弁輪に弁プロテーゼを送達する方法であって、前記生来の弁が腱索を有し、前記方法が、
前記心臓の心室内にカテーテルを位置付ける工程であって、前記カテーテルは、その遠位端に変位構成要素を有し、前記変位構成要素は、その内部を通る中央内腔を画定する、工程と、
前記変位構成要素を半径方向に拡張して、前記心室内の腱索を半径方向外向きに押す工程と、
弁送達システムを、前記心臓の心室壁を介して前記心臓の前記心室に導入する工程であって、前記弁送達システムは、その遠位部分に前記弁プロテーゼを有し、前記弁プロテーゼは送達構成である、工程と、
前記半径方向に拡張した変位構成要素の前記中央内腔を通って、前記心臓の前記生来の弁輪に向かって前記弁送達システムを前進させる工程と、
前記弁プロテーゼを展開して、前記生来の弁輪と並置する工程と、を含む、方法。
【請求項１３】
前記変位構成要素はバルーンである、請求項１２に記載の方法。
【請求項１４】
前記変位構成要素を半径方向に拡張する前記工程が、前記変位構成要素の遠位端を前記心臓の左房内に固定することを含む、請求項１３に記載の方法。
【請求項１５】
前記変位構成要素は、自己拡張性材料から形成されたリングである、請求項１２に記載の方法。
【請求項１６】
前記心臓の前記心室内にカテーテルを位置付ける前記工程が、前記心臓の尖部を介して前記左室に前記カテーテルを導入することを含む、請求項１２に記載の方法。
【請求項１７】
前記心臓の前記心室内にカテーテルを位置付ける前記工程が、大動脈を通って左室内へと前記カテーテルを経皮的に前進させることを含む、請求項１２に記載の方法。
【請求項１８】
前記心臓の前記心室内にカテーテルを位置付ける前記工程が、経中隔的に左房及び左室内へと前記カテーテルを前進させることを含む、請求項１２に記載の方法。
【請求項１９】
前記弁プロテーゼを展開する前記工程に先立って、前記変位構成要素を半径方向に折り畳み、前記カテーテルを少なくとも部分的に取り出す工程を更に含む、請求項１２に記載の方法。
【請求項２０】
前記変位構成要素は、漏斗構成に成形され、少なくとも部分的に自己拡張性材料から形成された平面要素である、請求項１２に記載の方法。
【請求項２１】
前記変位構成要素を半径方向に拡張する前記工程が、前記カテーテルの外側シャフトを後退させて、前記変位構成要素を露出することを含む、請求項２１に記載の方法。
【請求項２２】
前記変位構成要素を半径方向に拡張する前記工程が、前記カテーテルのシャフトを回転させることを含む、請求項２１に記載の方法。
【発明の詳細な説明】
【技術分野】
【０００１】
本発明は、弁プロテーゼに関し、より具体的には、弁プロテーゼの送達中に原位置で腱索を管理するための、弁送達システムと共に使用するように構成されている装置に関する。
【背景技術】
【０００２】
「内腔内プロテーゼ」を用いる広範な医療処置が知られている。本明細書で使用するとき、内腔内プロテーゼは、自然発生的及び人工的に作製された内腔の両方を含む、体腔内での一時的又は永久的な埋め込みに適合している医療装置を含むことが意図される。内腔内プロテーゼが埋め込まれ得る内腔の例としては、動脈、静脈、胃腸管、胆管、尿道、気管、肝及び脳シャント、並びに卵管が挙げられるが、これらに限定されない。
【０００３】
ステントプロテーゼは、体腔を画定する壁組織に人工的な半径方向支持を提供するための体腔内での埋め込みで知られている。一般的に「血管形成術」、「ＰＴＡ」又は「ＰＴＣＡ」と呼ばれる経皮経管冠動脈形成術によって広げられた血管など血管への半径方向支持を提供するために、ステントは、処置と併用されて埋め込まれてよい。この処置において、ステントは挿入径に折り畳まれ、病変血管から離れた部位で脈管構造に挿入されてよい。次いで、ステントは、罹患した血管内の所望の治療部位に送達され、自己拡張又は半径方向拡張によって、治療のためにその所望の直径まで展開され得る。
【０００４】
最近では、カテーテルベースの送達システムを使用して経皮的に送達され得るステント構造によって支持される可撓性人工弁が、心臓及び静脈弁置換用に開発されている。これらの人工弁は、ステント構造の内部に配置された弁尖を有する自己拡張性又はバルーン拡張性ステント構造のいずれかを含んでよい。人工弁は、弁送達システムのシース構成要素内に収容されることによって、又はバルーンカテーテル上に圧着することによって直径を減少させ、静脈又は動脈血管系を通って前進できる。人工弁が処置部位、例えば、機能不全の生来の、又は以前埋め込まれた人工の弁内に位置付けられると、ステント構造は拡張されて、人工弁を定位置でしっかりと保持し得る。ステント構造を有する人工弁の一実施形態は、参照によりその全体が本明細書に組み込まれる「Ｐｅｒｃｕｔａｎｅｏｕｓ  Ｐｌａｃｅｍｅｎｔ  Ｖａｌｖｅ  Ｓｔｅｎｔ」と題する米国特許第５，９５７，９４９号（Ｌｅｏｎｈａｒｄｔら）に開示されている。
【０００５】
ヒト心臓は、心房から心室へと血液が通って流れる２つの房室弁を含み、これらの弁は、血液が心房に戻らないように機能する。三尖弁は、右房室弁としても知られており、右房と右室との間に位置する三重フラップ弁である。二尖弁又は左房室弁としても知られる僧帽弁は、左房と左室との間に位置する二重フラップ弁であり、肺からの酸素を含む血液を、心臓の左側を通って大動脈内へと方向付けて、身体中に分配する機能を果たす。心臓の他の弁と同様に、僧帽弁は、それ自体がいかなるエネルギーも消費せず、いかなる能動的な収縮機能も行わない受動的な構造である。左房室弁は、弁の両側への差圧に応答してそれぞれ開閉する、２つの可動尖（前尖、後尖）を含む。理想的には、尖は、弁が開放位置にあるときに互いから離れるように移動し、弁が閉鎖位置にあるときに接触又は「接合」する。弁に関して生じ得る問題としては、弁が適切に開口しない狭窄、及び／又は弁が適切に閉鎖しない不全症若しくは逆流が挙げられる。狭窄及び不全症は、同一の弁内で付随して生じ得る。弁機能不全の影響は様々であり、僧帽弁逆流（regurgitation）又は逆流（backflow）は、通常、患者にとって比較的重大な生理学的影響をもたらす。
【０００６】
腱索は、僧帽弁の生来の尖と乳頭筋との間の左室内に延在する。腱索は、僧帽弁の後尖に内側乳頭筋を接続し、僧帽弁の前尖に外側乳頭筋を接続する、紐状腱である。僧帽弁プロテーゼを送達する１つの方法は、開胸して心尖部を直接通る経心尖アプローチによって送達することを含む。しかしながら、このような経心尖アプローチの間、腱索は、送達経路内の障害物として作用し得る。腱索は、全て同様に整列するわけではないため、僧帽弁への送達経路に関する課題がより多くなる。弁送達システムは、前進中に腱索内で絡まることがあり、それによって、解剖学的構造内での弁送達システムの移動が制限され、また、弁プロテーゼの正確な整列及び／又は展開が妨げられる。
【０００７】
僧帽弁は、他の弁と比較して異なる物理的特性を有するため、僧帽位置への弁の埋め込みは、独自の弁置換要件を有する。僧帽弁を経皮的に置換するための改善された装置及び方法を提供することによってなど、僧帽弁置換装置及び心臓の構造に適応する処置を改善することが引き続き所望されている。本発明の実施形態は、経心尖的弁置換処置中に腱索を管理するための方法及び装置に関する。
【発明の概要】
【０００８】
本発明の実施形態は、脈管構造内で送達するように構成されている弁プロテーゼを送達する方法に関する。弁プロテーゼを心臓の生来の弁輪に送達する方法であって、この生来の弁は腱索を有する。索管理カテーテルは、心臓の心室内に位置付けられ、この索管理カテーテルは、その遠位端に変位バルーンを有する。変位バルーンは環状構成要素であって、その内部を通る中央内腔を画定する。変位バルーンは心室内で膨張させられて、腱索を半径方向外向きに押す。弁送達システムは、心臓の心室壁を介して心臓の心室に導入される。弁送達システムは、その遠位部分に弁プロテーゼを有し、弁プロテーゼは送達構成である。弁送達システムは、膨張した変位バルーンの中央内腔を通って、心臓の生来の弁輪に向かって前進する。弁プロテーゼは、展開されて生来の弁と並置される。
【０００９】
本発明の別の実施形態では、弁プロテーゼを心臓の生来の弁輪に送達する方法であって、この生来の弁は腱索を有する。索管理カテーテルは、心臓の心室内に位置付けられ、この索管理カテーテルは、その遠位端に変位構成要素を有する。この変位構成要素は環形状を有し、その内部を通る中央内腔を画定する。この変位構成要素は、心室内で腱索を半径方向外向きに押すように半径方向に拡張される。弁送達システムは、心臓の心室壁を介して心臓の心室に導入される。この弁送達システムは、その遠位部分に弁プロテーゼを有し、弁プロテーゼは送達構成である。この弁送達システムは、半径方向に拡張した変位構成要素の中央内腔を通って、心臓の生来の弁輪に向かって前進させられる。弁プロテーゼは、展開されて生来の弁と並置される。
【００１０】
本発明の前述及び他の特徴並びに利点は、添付図面において例示されるような本発明の実施形態の以下の説明から明らかになるであろう。本発明に組み込まれており、明細書の一部を形成する添付図面は、本発明の原理を説明するために、かつ関連技術分野の技術者が本発明を実行かつ使用することを可能にするために更に役立つ。これらの図面は、原寸に比例していない。
【図面の簡単な説明】
【００１１】
【図１】本発明の実施形態で使用するための例示的な経カテーテル弁プロテーゼの斜視図である。
【図２】生来の僧帽弁の解剖学的構造の断面図である。
【図３】生来の僧帽弁輪内に埋め込まれた、図１の弁プロテーゼの断面図である。
【図４】経カテーテル弁プロテーゼのための例示的な経心尖送達経路又はルートを示す、心臓の解剖学的構造の断面図である。
【図５】本発明の実施形態による、変位構成要素又はバルーンを遠位端に有する索管理カテーテルの図であり、変位構成要素は、送達又は非拡張構成である。
【図５Ａ】図５の線Ａ−Ａに沿って切り取られた断面図である。
【図６】図５の索管理カテーテルの遠位部分の側面図であり、その変位構成要素は、円筒状構成又は外形を有する膨張可能なバルーンであり、展開又は拡張構成で示されている。
【図７】図５の変位構成要素の斜視図であり、変位構成要素は、説明目的のみで索管理カテーテルから取り出されており、変位構成要素は、円筒状構成又は外形を有する膨張可能なバルーンであり、展開又は拡張構成で示されている。
【図８】図５の索管理カテーテルの端面図であり、変位構成要素は、シャフト構成要素と長手方向にオフセットされ、シャフト構成要素が変位構成要素の最外表面に沿って延在するように、シャフト構成要素の遠位端に封着されている。
【図９】本発明の別の実施形態による索管理カテーテルの端面図であり、変位構成要素は、シャフト構成要素と長手方向にオフセットされ、シャフト構成要素が変位構成要素の最内表面に沿って延在するように、シャフト構成要素の遠位端に封着されている。
【図１０Ａ】本発明の別の実施形態による索管理カテーテルの遠位部分の側面図であり、変位構成要素は策管理システムの最遠位端に配置され、変位構成要素の送達中に後退可能な外側シースが用いられ、交代可能な外側シースは、変位構成要素の上に配置され、変位構成要素は膨張していない。
【図１０Ｂ】図１０Ａの索管理カテーテルの遠位部分の側面図であり、後退可能な外側シースは後退しており、変位構成要素は膨張していない。
【図１０Ｃ】図１０Ａの索管理カテーテルの遠位部分の側面図であり、後退可能な外側シースは後退しており、変位構成要素は膨張している。
【図１０Ｄ】図１０Ａの索管理カテーテルの遠位部分の端面図であり、後退可能な外側シースは後退しており、変位構成要素は膨張している。
【図１１】本発明の別の実施形態による変位構成要素の斜視図であり、変位構成要素は、環状構成又は外形を有する膨張可能なバルーンであり、展開又は拡張構成で示されている。
【図１２】本発明の別の実施形態による変位構成要素の斜視図であり、変位構成要素は、球状構成又は外形を有する膨張可能なバルーンであり、展開又は拡張構成で示されている。
【図１３】本発明の別の実施形態による変位構成要素の斜視図であり、変位構成要素は、最遠位フランジ又は縁部を有する円筒状構成又は外形を有し、展開又は拡張構成で示されている。
【図１４】本発明の別の実施形態による変位構成要素の斜視図であり、変位構成要素は、環状構成又は外形を有する拡張可能なメッシュであり、展開又は拡張構成で示されている。
【図１５】本発明の別の実施形態による変位構成要素の斜視図であり、変位構成要素は、拡張可能なリングであり、展開又は拡張構成で示されている。
【図１６】本発明の別の実施形態による変位構成要素の斜視図であり、変位構成要素は、円筒状構成又は外形を有する膨張可能なバルーンであり、展開又は拡張構成で示され、円筒状バルーンは、造影剤溶液を受容するための一体型チャネルを含む。
【図１６Ａ】図１６の線Ａ−Ａに沿って切り取られた断面図である。
【図１７】図１６の変位構成要素が取り付けられている索管理カテーテルの斜視図であり、変位構成要素は、拡張又は膨張構成である。
【図１７Ａ】図１７の線Ａ−Ａに沿って切り取られた断面図である。
【図１８】原位置での図５の索管理カテーテルの図であり、索管理カテーテルは、経心尖アプローチによって左室内に位置付けられており、索管理カテーテルの変位構成要素は、送達又は非拡張構成である。
【図１９】原位置での図５の索管理カテーテルの図であり、索管理カテーテルの変位構成要素は、展開又は拡張構成である。
【図２０】図５の索管理カテーテルを通って原位置に位置付けられている弁送達システムの図であり、弁送達システムは、経心尖アプローチによって左室内に位置付けられており、索管理カテーテルの変位構成要素は、展開又は拡張構成であり、弁送達システムの弁プロテーゼは、送達又は非拡張構成である。
【図２０Ａ】図２０の線Ａ−Ａに沿って切り取られた断面図である。
【図２１】図５の索管理カテーテルを通って原位置に位置付けられている弁送達システムの図であり、索管理カテーテルの変位構成要素は、少なくとも部分的に非拡張構成であり、索管理カテーテルは、少なくとも部分的に近位に後退している又は引き抜かれている。
【図２２】索管理カテーテルを少なくとも部分的に取り出した後の、原位置で展開されている図１の弁プロテーゼの図である。
【図２３】原位置での索管理カテーテルの図であり、索管理カテーテルは、経大動脈アプローチによって左室内に位置付けられており、索管理カテーテルの変位構成要素は、送達又は非拡張構成である。
【図２４】原位置での２つの索管理カテーテルの図であり、索管理カテーテルは、経大動脈アプローチによって左室内に順次位置付けられており、索管理カテーテルの変位構成要素は、拡張又は膨張構成である。
【図２５】原位置での索管理カテーテルの図であり、索管理カテーテルは、経中隔アプローチによって左室内に位置付けられており、索管理カテーテルの変位構成要素は、送達又は非拡張構成である。
【図２６】本発明の別の実施形態による脊索管理カテーテルの変位構成要素及び遠位端の斜視図であり、変位構成要素は、展開時に漏斗構成を有する平面要素であり、図２６は、変位構成要素がその展開構成であることを示す。
【図２７】図２６の索管理カテーテルの側面図であり、索管理カテーテルの外側シャフトは変位構成要素の上で延在し、したがって変位構成要素はその送達構成である。
【図２７Ａ】図２７の線Ａ−Ａに沿って切り取られた断面図である。
【図２７Ｂ】図２７の線Ｂ−Ｂに沿って切り取られた断面図である。
【図２８】図２６の変位構成要素の斜視図であり、索管理カテーテルの外側シャフトが後退しており、変位構成要素は部分展開構成である。
【図２９】本発明の別の実施形態による変位構成要素の斜視図であり、変位構成要素は、非外傷性長手方向外縁部と共に展開されると、漏斗構成を有する平面要素であり、図２９は、変位構成要素がその展開構成であることを示す。
【図３０】図２９の変位構成要素の端面図である。
【図３１】図３０の一部分の拡大図であり、非外傷性長手方向外縁部は丸みを帯びている。
【図３２】本発明の別の実施形態による図３０の一部分の拡大図であり、非外傷性長手方向外縁部は丸みを帯びている。
【図３３】本発明の別の実施形態による変位構成要素の斜視図であり、変位構成要素は、非外傷性周向遠位端と共に展開されると、漏斗構成を有する平面要素であり、図３３は、変位構成要素がその展開構成であることを示す。
【図３４】本発明の別の実施形態による変位構成要素の斜視図であり、変位構成要素は、非外傷性周方向遠位端と共に展開されると、漏斗構成を有する平面要素であり、変位構成要素は、自己拡張性フィラメントを受容するための周方向通路を含み、図３４は、変位構成要素がその展開構成であることを示す。
【図３５】図３４の側面断面図である。
【図３６】図３５の一部分の拡大図である。
【図３７】本発明の別の実施形態による図３５の一部分の拡大図であり、自己拡張性フィラメントは、変位構成要素の２枚の積層シートの間に受容される。
【図３８】本発明の別の実施形態による図３５の一部分の拡大図であり、自己拡張性フィラメントは、周方向通路を形成する管状要素内に受容される。
【図３９】本発明の別の実施形態による索管理カテーテルの変位構成要素及び遠位端の斜視図であり、変位構成要素は、非外傷性周方向遠位端と共に展開されると、漏斗構成を有する平面要素であり、変位構成要素は、索管理カテーテルのシャフトの回転により展開可能であり、図３９は、変位構成要素がその展開構成であることを示す。
【図４０】図３９の変位構成要素及び索管理カテーテルの端面図であり、変位構成要素はその送達構成である。
【図４１】原位置での図３９の索管理カテーテルの図であり、索管理カテーテルは、経心尖アプローチによって左室内に位置付けられており、索管理カテーテルの変位構成要素は、送達又は非拡張構成である。
【図４２】原位置での図３９の索管理カテーテルの図であり、索管理カテーテルの変位構成要素は、展開又は拡張構成である。
【図４３】図３９の索管理カテーテルを通って原位置に位置付けられている弁送達システムの図であり、弁送達システムは、経心尖アプローチによって左室内に位置付けられており、索管理カテーテルの変位構成要素は、展開又は拡張構成であり、弁送達システムの弁プロテーゼは、送達又は非拡張構成である。
【図４４】本発明の別の実施形態による変位構成要素の斜視図であり、変位構成要素は、最遠位フランジ又は縁部を有する円筒状構成又は外形を有する、拡張可能なメッシュであり、展開又は拡張構成で示されており、変位構成要素は、索管理カテーテル及び左房内のアンカーから解放されて、その後、心臓弁プロテーゼの移植後にその一部となり、弁周囲漏出を防止するように構成されている。
【図４５】本発明の別の実施形態による変位構成要素及びその内部で展開された弁プロテーゼの側面図であり、変位構成要素は、拡張した弁プロテーゼ及び変位構成要素が、原位置での拡張時に構成要素間で完全な適合を形成するように、不規則な嵌合面を含むことを除いて、図４４の変位構成要素に類似である。
【発明を実施するための形態】
【００１２】
本発明の特定の実施形態が、図面を参照してここで説明され、図面では、同様な参照番号は、同等な又は機能的に類似した要素を示す。別途記載のない限り、「遠位」及び「近位」という用語は、治療している臨床医に対する位置又は方向に関して以下の説明で使用される。「遠位」及び「遠位に」は、臨床医から遠く離れている、又は臨床医から離れる方向の位置を指し、「近位」及び「近位に」は、臨床医に近い、又は臨床医に向かう方向の位置を指す。加えて、「自己拡張性」という用語は以下の説明で使用され、構造体が、圧縮又は収縮送達構成から拡張展開構成に構造体を戻すための機械的記憶を備え得る材料から成形又は形成されることを伝えることを意図する。非包括的な、例示的な自己拡張性材料としては、ステンレス鋼、ニッケルチタン合金若しくはニチノールなど疑弾性金属、様々なポリマー、又はニッケル、コバルト、クロム、若しくは他の金属の卑金属を有し得る、いわゆる超合金が挙げられる。機械的記憶は、熱処理によってワイヤ又は骨格構造体に対して付与されて、例えば、ステンレス鋼においてスプリングテンパ−を達成するか、又は、ニチノールなど影響を受けやすい金属合金に形状記憶を設定することができる。形状記憶特性を有するように作製され得る様々なポリマーはまた、本発明の実施形態での使用に好適であり得、ポリノルボレン、トランス−ポリイソプレン、スチレン−ブタジエン、及びポリウレタンなどのポリマーを含む。同様に、ポリＬ−Ｄ乳酸コポリマー、オリゴカプリルラクトンコポリマー、及びポリシクロオクテンは、別々に、又は他の形状記憶ポリマーと共に使用され得る。
【００１３】
以下の詳細な説明は、本質的に例示にすぎず、本発明又は本発明の用途及び使用を限定することを意図しない。本発明の実施形態の説明は、生来の僧帽弁内に弁プロテーゼを送達するための送達システムの文脈であるが、本明細書に記載の索管理カテーテルはまた、生来の三尖弁内に弁プロテーゼを送達するため、又は、故障した、以前に埋め込まれたプロテーゼ内に僧帽弁プロテーゼ若しくは三尖弁プロテーゼを送達するためなど、腱索を含む身体の他の弁に使用され得る。更に、先行技術分野、背景、簡単な要約、又は以下の詳細な説明に提示された明示又は暗示された理論に拘束されることを意図するものではない。
【００１４】
本発明の実施形態は、経カテーテル心臓弁埋め込み処置において心臓の生来の心臓弁内で展開するように構成されている弁プロテーゼに関連する。図１は、本発明の実施形態で使用するための例示的な経カテーテル弁プロテーゼ１０１の斜視図であり、弁プロテーゼは、本発明の実施形態による拡張展開構成である。弁プロテーゼ１０１は、本発明の実施形態による弁送達システムと共に用いられる索管理方法及び装置の説明を容易にするために、本発明に図示される。任意の数の代替的な心臓弁プロテーゼが、本発明に記載の方法及び装置で使用され得ることが理解される。弁プロテーゼ１０１は、単に例示的なものであり、参照によりその全体が本発明に組み込まれる、米国特許第９，０３４，０３２号（ＭｃＬｅａｎら）により詳細に記載されている心臓弁プロテーゼに類似している。本開示のシステム及び方法に有用な経カテーテル弁プロテーゼの他の非限定的な例は、米国特許出願公開第２０１２／０１０１５７２号（Ｋｏｖａｌｓｋｙら）、同第２０１２／００３５７２２号（Ｔｕｖａｌ）、同第２００６／０２６５０５６号（Ｎｇｕｙｅｎら）、同第２００７／０５４０９２６６号（Ｂｉｒｄｓａｌｌ）、同第２００７／０５４０９２６９号（Ｄｏｌａｎら）、及び同第２００８／００７１３５４８号（Ｔｕｖａｌ）に記載されており、これらの特許のそれぞれは、その全体が参照により本発明に組み込まれ、僧帽弁内に配置するように構成されている心臓弁プロテーゼを示す。
【００１５】
図１に示すように、心臓弁プロテーゼ１０１は、内側弁支持体１１０を少なくとも部分的に包囲し、これに連結される可撓性固定部材１０８を含む。心臓弁プロテーゼ１０１は、弁支持体１１０に連結される、その中に取り付けられる、又は別の方法でそれによって担持される人工弁構成要素１０４を更に含む。心臓弁プロテーゼ１０１はまた、１つ以上の封止部材１０６と、組織係合要素１１４と、を含む。例えば、組織係合要素１１４は、固定部材１０８の上流外周に配置され、上向き及び／又は半径方向外向き方向に延在して係合するスパイクであってよく、いくつかの実施形態では、所望の埋め込み位置にある装置の位置の保持又は維持を容易にするために、生来の組織を穿通する。別の特定の実施形態では、封止部材１４０は、固定部材１０８の内壁の周囲及び／又は弁支持体１１０の外面の周囲に延在して、心臓弁プロテーゼ１０１と生来の組織との間及び／又は固定部材１０８と弁支持体１１０との間の弁周囲漏出を防止してよい。組織係合要素１１４はまた、固定部材１０８の外壁の周囲に含まれてよく、外向きに延在して係合してよく、いくつかの実施形態では、生来の弁尖又は他の隣接組織を穿通してよい。更に、弁支持体１１０は、本明細書に更に記載されるように、上流端の周囲にアイレットなど複数の連結機構１１２を有して、送達カテーテル（図示せず）内での、及びそこからの心臓弁プロテーゼ１０１の装填、保持、及び展開を容易にしてよい。
【００１６】
弁支持体１１０は、その内部に人工弁構成要素１０４を支持する、概ね円筒状のステント又はフレームである。同様に、固定部材１０８はまた、フレア状、漏斗状、又は双曲面形状を有するステント又はフレームである。いくつかの実施形態では、弁支持体１１０及び／又は固定部材１０８は、複数のストラット１０３によって周方向に接続された複数のポスト１０２を含む。ポスト１０２及びストラット１０３は、拡張し、人工弁構成要素１０４の完全性を維持するために十分な弾力性及び柱強度を提供し得る様々な幾何学的パターンで配置されてよい。例えば、ポスト１０２は、複数列のストラット１０３を横切って長手方向に延在して、弁支持体１１０にカラム強度を提供できる。概ね、複数のポスト１０２は、長手方向軸に概ね平行な軸方向に沿って延在してよく、ストラット１０３は、長手方向軸の周囲に、及びそれに対して直角に延在してもよい。当業者に理解されるように、弁プロテーゼのステント又はフレームは、金属、ポリマー、又はファブリックメッシュ若しくは織物構造など他の構成を有してよい。本発明の実施形態では、弁支持体１１０は、圧縮又は収縮送達状態から拡張展開状態に戻るように自己拡張性であり、ステンレス鋼、ニッケルチタン合金若しくはニチノールなどの擬似弾性金属、又はニッケル、コバルト、クロム、若しくは他の金属の卑金属を有し得る、いわゆる超合金から作製され得る。本明細書で使用するとき、「自己拡張性」は、構造体／構成要素が、本明細書に記載されるように、拡張又は展開構成に戻る機械的記憶を有することを意味する。あるいは、弁プロテーゼ１０１は、当業者が理解するように、バルーン拡張型であってよい。弁支持体１１０が自己拡張性であるか、又はバルーン膨張型であるかにかかわらず、弁プロテーゼ１０１は、弁送達システム内に送達するための圧縮構成と、生来の弁部位の輪内で展開するための半径方向拡張構成と、を有する。いくつかの実施形態では、固定部材１０８及び／又は弁支持体１１０は、単一の金属管から所望の形状にレーザー切断されて、相互接続されたストラットのパイプ足場を形成することができる。次いで、固定部材１０８は、そのような材料の既知の形状設定技術を使用して、所望の構成、例えば、フレア状、漏斗状、又は双曲面形状に成形されてよい。
【００１７】
前述したように、弁プロテーゼ１０１は、弁支持体１１０の内部に人工弁構成要素１０４を含む。人工弁構成要素１０４は一方向弁として構成されており、一方向への血流を可能にし、それによって、そこを通る血流を調節する。人工弁構成要素１０４は、一方向への流れを遮断して、二尖又は三尖置換弁を形成し得る弁尖によって、その内部を通る流れを調節できる。より具体的には、弁プロテーゼ１０１が、僧帽弁などの２つの尖を有する生来の弁内に配置するように構成されている場合、人工弁構成要素１０４は、流出の圧力を受けると閉じ、流入の圧力を受けると開く二尖置換弁を形成する２つの弁尖を含む。本発明による他の実施形態では、人工弁構成要素は、三尖置換弁であってよい、又は単尖置換弁であってよい。弁尖は、人工組織弁構造の当業者に既知であるように、弁支持体１１０及び／又は弁支持体１１０を包囲する、若しくは補強する封止部材１０６の内周に縫合されるか、ないしは別の方法でしっかり封着される。
【００１８】
弁尖は、心膜材料で作製されてよいが、弁尖は、代わりに別の材料で作製されてよい。人工弁構成要素１０４で使用するための人工弁尖用の自然組織は、例えば、ヒト又は動物（例えば、ウシ、ウマ、又は豚由来）からの心臓弁、大動脈根、大動脈壁、大動脈尖、心膜組織（例えば、心膜パッチ、バイパス移植片、血管、腸粘膜下組織、臍帯組織）などから得られてよい。本発明の実施形態における人工弁尖として使用するのに好適な合成材料としては、Ｉｎｖｉｓｔａ  Ｎｏｒｔｈ  Ａｍｅｒｉｃａ  Ｓ．Ａ．Ｒ．Ｌ（Ｗｉｌｍｉｎｇｔｏｎ，ＤＥ）から市販されているＤＡＣＲＯＮ（登録商標）ポリエステル、ポリウレタン、Ｇｏｒｅ−Ｔｅｘ又は他の布材料、ナイロンブレンド、ポリマー材料、及び真空蒸着ニチノール加工材料が挙げられる。置換弁尖が作製され得る１種類のポリマー材料は、Ｒｏｙａｌ  ＤＳＭ（Ｎｅｔｈｅｒｌａｎｄｓ）から商品名ＤＹＮＥＥＭＡで市販されている超高分子量ポリエチレン材料である。特定の人工尖材料では、過成長を防止又は最小限に抑える材料で置換弁尖の片側又は両側を被覆することが望ましい場合がある。人工尖材料に耐久性があり、また、伸張、変形、又は疲労を受けないことが更に望ましい。
【００１９】
封止部材１０６は、心膜又は腸粘膜下組織などの別の膜状組織など天然材料又は生物材料など好適な移植材料から形成される。あるいは、密封材料１０６は、ポリエステル、Ｄａｃｒｏｎファブリックなど低多孔性の織布、又はＰＴＦＥであってよく、これらは、ステントに取り付けられたときに一方向流体通路を形成する。一実施形態では、封止部材１０６は、ポリエステル又はＰＴＦＥニットなどニット又は織物ポリエステルであってよく、これらは、組織の内方成長のための媒体及び織布が伸張して曲面に適合する能力を提供することが望ましい場合に用いられ得る。一方の側に組織の内方成長のための媒体、及び他方の側に滑らかな表面を提供することが所望される場合などでは、ポリエステルベロアファブリックが、代わりに用いられ得る。これら及び他の適切な心血管ファブリックは、例えば、Ｂａｒｄ  Ｐｅｒｉｐｈｅｒａｌ  Ｖａｓｃｕｌａｒ，Ｉｎｃ．（Ｔｅｍｐｅ，Ａｒｉｚ．）から市販されている。
【００２０】
図２は、左房ＬＡと、左室ＬＶと、僧帽弁ＭＶと、大動脈弁ＡＶと、を含む心臓Ｈの断面図を示す。血流ＢＦは、左房ＬＡ内、左室ＬＶ内に入り、僧帽弁ＭＶを通り、大動脈弁ＡＶを通って大動脈内に入る図２の方向矢印で示される。僧帽弁ＭＶはサドル形状であり、２つの生来の尖（後尖ＰＬ及び前尖ＡＬ）を含み、腱索ＣＴは、僧帽弁ＭＶの生来の尖と乳頭筋との間の左室ＬＶ内に延在する。本明細書に前述したように、腱索ＣＴは、僧帽弁ＭＶの後尖ＰＬに内側乳頭筋ＭＰＭを接続し、僧帽弁ＭＶの前尖ＡＬに外側乳頭筋ＬＰＭを接続する紐状腱である。生来の僧帽弁が適切に動作している場合、生来の尖は、概して、尖が開放位置にあるときには、血液が左室ＬＶに向かって流れるように、また尖が閉鎖位置にあるときには、血液が左房ＬＡに向かって移動しないように機能する。収縮期中、生来の尖が閉鎖して、心房への血液の逆流を防止するとき、腱索ＣＴが張り詰めて生来の弁尖を閉鎖位置に保持することにより、生来の弁尖がめくれたり、心房内に脱出したりしないようにする。
【００２１】
図３は、生来の僧帽心臓弁内に埋め込まれた弁プロテーゼ１０１の図であり、断面で示されている。弁プロテーゼ１０１は、生来の僧帽弁内で展開されて示され、その上流端は左室内に延在し、その下流端は左房内に延在する。弁プロテーゼ１０１が生来の心臓弁の弁輪内で展開されるとき、弁支持体１１０及び固定部材１０８は、患者の欠陥のある弁の生来の弁尖（後尖ＰＬ及び前尖ＡＬ）内で拡張し、生来の弁尖を恒久的に開放状態で保持する。
【００２２】
僧帽弁プロテーゼ１０１を送達する１つの方法は、図４に最も良好に示されるように、開胸して心尖部を直接通る経心尖アプローチによって送達することを含む。図４は、弁プロテーゼ１０１を、左房と左室との間に位置する生来の僧帽弁に送達するための、方向矢印４１６によって表される例示的な経心尖送達経路又はルートを示す、心臓の解剖学的構造の断面図である。図４はまた、弁プロテーゼを、右房と右室との間に位置する生来の三尖弁に送達するための、方向矢印４１８によって表される例示的な経心尖送達経路又はルートを示す。経心尖アプローチでは、心臓へのアクセスは胸腔切開によって得られ、これは従来の開胸術若しくは胸骨切開術であり得る、又はより小さい肋間若しくは剣状突起切開若しくは穿刺であり得る。次いで、アクセスカニューレは、心尖部又はその近くの左室の壁内の穿刺部（巾着縫合によって封止される）を通って配置される。次いで、本明細書に記載の弁送達システムを、このアクセスカニューレを通って左室に導入してよい。経心尖アプローチは、僧帽弁又は三尖弁までのより短く、より直線的であり、より直接的な経路を提供するという特徴を有する。更に、血管内アクセスを伴わないため、経心尖的処置は、他の経皮的アプローチで必要とされるカテーテル法を実行するために介入心臓学において必要な訓練を有さない外科医によって行われ得る。送達中、自己拡張性の場合、弁プロテーゼは、標的の病変した生来の心臓弁に到達するまで圧縮されたままであり、弁プロテーゼは、到達時に弁送達システムから解放され、自己拡張によって原位置で拡張し得る。次いで、弁送達システムは取り出され、弁プロテーゼ１０１は、生来の標的心臓弁内に展開状態で留まる。あるいは、弁プロテーゼ１０１は、当業者が理解するように、バルーン拡張型であってよく、その送達は、バルーンカテーテルによって達成されてよい。
【００２３】
しかしながら、本明細書に前述したように、腱索は、弁プロテーゼ１０１が経心尖的に送達されると、送達経路４１６、４１８内の障害物として作用し得、弁送達システムは、前進中に腱索内で絡まる場合がある。本発明の実施形態は、経心尖的弁置換処置中に腱索を管理するための方法及び装置に関する。より具体的には、本発明の実施形態は、索管理カテーテル５２０に関し、このカテーテルは、その遠位端に変位構成要素５３０を有して、心臓の左室又は右室内で展開し、索腱を変位させ、それによって、変位構成要素５３０によって画定された中央内腔又は通路５３８を通って前進する、以降に送達される弁送達システムのために経路の障害物を除去する。変位構成要素５３０は、尖部からの僧帽アクセスを妨げる腱索を再配置又は変位させ、一方、変位構成要素５３０によって画定された中央内腔５３８は、弁送達システムが通過して弁プロテーゼを展開し、弁の展開後に弁送達システムが安全に取り出されるように、障害物のない経路又は経路を提供する。
【００２４】
索管理カテーテル５２０は、図５及び図５Ａを参照してより詳細に説明され、図５Ａは、図５の線Ａ−Ａに沿って切り取られた断面図である。図５は、変位構成要素５３０を有する索管理カテーテル５２０の側面図であり、変位構成要素は送達又は非拡張構成である。図６及び図７は、半径方向に拡張した又は膨張した構成の変位構成要素５３０の側面図及び斜視図をそれぞれ示す。図５の実施形態では、変位構成要素５３０は膨張可能なバルーンである。拡張又は膨張構成では、変位構成要素５３０は、その内部を通る中央内腔又は通路５３８を画定する円筒状の膨張可能なバルーンである。参照によりその全体が本発明に組み込まれる、米国特許第４，９０９，２５２号（Ｇｏｌｄｂｅｒｇｅｒ）は、本発明の実施形態で使用するために修正され得る環状又はリング状バルーンについて説明している。拡張した変位構成要素５３０は、外壁又は周面５３４と、内壁又は周面５３６と、を有する環状断面を有し、内部空間又は容積５３５が外壁５３４と内壁５３６との間に画定されている。患者のサイズに応じて、外壁５３４は、患者の解剖学的構造に応じて直半径方向に２０ｍｍ〜６０ｍｍの幅があってよく、内壁５３６は、それと共に使用される送達装置に応じて直半径方向に８ｍｍ〜４５ｍｍの幅があってよい。ある実施形態では、外壁５３４は約２０ｍｍであってよく、内壁５３６は約１４ｍｍであってよい。中央内腔５３８は、弁送達システムの以降の送達を可能にし、したがって内壁５３６は、間に間隙を設けるために、弁送達システムの外形よりもわずかに大きいサイズである。より具体的には、中央内腔５３８は、弁送達システム内に収容された弁プロテーゼの展開に先立って弁送達システムを生来の弁輪へと誘導するために、弁送達システムが拡張した変位構成要素５３０を通って以降に送達され得るサイズであり、そのように構成されている。拡張した変位構成要素５３０は、腱索を押すか又は変位させ、左室又は右室内に後に導入される弁送達システムの経路又はルートの障害物を除去し、より良好に人工弁を展開するために、弁置換／修復処置の開始時に生来の弁輪内に位置付けられる。
【００２５】
索管理カテーテル５２０は、シャフト構成要素５２２と、シャフト構成要素５２２の近位端に配置されたルアーハブ５２５と、シャフト構成要素５２２の遠位端に配置されたテーパ状遠位先端５２９と、を含む。バルーンカテーテル設計の当業者に理解されるように、索管理カテーテル５２０の近位部分は、患者の外部に延在し、ルアーハブ５２５、又は近位ガイドワイヤポート５２１及び膨張流体源に接続され得る近位膨張ポート５２３を有する他のタイプの取り付け具を含む。シャフト構成要素５２２は、多内腔異形押出によって形成され、その内部を通るガイドワイヤ内腔５２８、及び変位構成要素５３０の内部空間又は容積５３５と流体連通している膨張内腔５２４を画定する。ガイドワイヤ内腔５２８は、図５に示されるように、索管理カテーテル５２０が、その送達中にガイドワイヤ上で追跡されるように構成されているように、ルアーハブ５２５の近位ガイドワイヤポート５３２を通ってガイドワイヤ５３２を摺動自在に受容するサイズである。
【００２６】
変位構成要素５３０の少なくとも一部は、シャフト構成要素５２２から長手方向にオフセットされるように、シャフト構成要素５２２に封着される。図５の実施形態では、変位構成要素５３０は、変位構成要素５３０の近位端及び遠位端に位置付けられた取り付け点５２６Ａ、５２６Ｂにおいて、シャフト構成要素５２２の外側表面に封着されている。取り付け点５２６Ａ、５２６Ｂのうちの少なくとも１つに沿って、シャフト構成要素５２２は遠位膨張ポート又は開口部（図示せず）を含み、膨張内腔５２４と変位構成要素５３０の内部容積５３５との間に流体連通を提供する。膨張内腔５２４により、膨張流体は、ルアーハブ５２５を通って索管理カテーテル５２０の近位端において受容され、変位構成要素５３０に送達されることが可能になる。膨張流体が膨張内腔５２４内で提供されるとき、膨張流体は、変位構成要素を拡張構成へと膨張させるために、変位構成要素５３０の内部容積５３５を充填する。本発明のある実施形態では、変位構成要素５３０を膨張させる膨張流体は、拡張した変位構成要素５３０が弁置換／修復処置中にその一定の可視化を提供するように、造影剤を含む。
【００２７】
シャフト構成要素５２２は、任意の好適な可撓性ポリマー材料から形成される。シャフト構成要素の材料の非包括的な例は、ポリエチレンテレフタレート（ＰＥＴ）、ナイロン、ポリエチレン、ＰＥＢＡＸ、又はこれらのいずれかの組み合わせであり、ブレンド若しくは共押出のいずれかである。所望により、シャフト構成要素の一部は、強度、可撓性、及び／又は靱性を向上させるために、ポリマー本体内に組み込まれた補強材料を有する複合体として形成される。好適な補強層としては、組物、ワイヤメッシュ層、埋め込まれた軸方向ワイヤ、埋め込まれた螺旋状又は周方向ワイヤなどが挙げられる。ある実施形態では、シャフト構成要素５２２の近位部分は、いくつかの例では、ハイポチューブ、又は例えば、参照によりその全体が本発明に組み込まれる、米国特許第５，８２７，２４２号（Ｆｏｌｌｍｅｒら）に示され、説明されているように強化ポリマーチューブなど金属チューブ類から形成されてよい。シャフト構成要素５２２は、本体容器内の標的位置まで延在する任意の好適な作動長を有してよい。
【００２８】
変位構成要素５３０は、ポリエチレンテレフタレート（ＰＥＴ）、ポリアミド１２、又はポリエチレンブロックコポリマーを含むがこれらに限定されない、拡張バルーンに一般的に使用され得るものなどポリマー材料で作製されてよい。本発明のある実施形態では、内壁の強度が変位構成要素５３０の外壁又は周面５３４よりも高いように、変位構成要素５３０の内壁又は周面５３６にコーティングが塗布される。ある実施形態では、コーティングは、熱可塑性又は熱硬化性ポリマー材料などであるがこれらに限定される、耐摩耗性及び耐穿刺性コーティングであってよい。別の実施形態では、変位構成要素５３０の内壁又は周面５３６は、共押出によって形成され得る２層構成において、変位構成要素５３０の外壁又は周面５３４よりも２番目に強いものから形成されてもよい。弁送達システムが中央内腔５３８を通過するとき、変位構成要素５３０の内壁又は周面５３６は弁送達システムと接触してよく、したがって、それにコーティングを塗布することにより、弁送達システムの前進中の引き裂きに対する抵抗がより強くなる。
【００２９】
他の種類のカテーテル構造（例えば、外側シャフトの内側表面と内側シャフトの外側表面との間に画定された環状膨張内腔を有する同軸の内側シャフト及び外側シャフトを含む同軸カテーテル構造などが挙げられるが、これに限定されない）はまた、本発明に修正可能である。図５の実施形態では、索管理カテーテル５２０は、ガイドワイヤを収容するためにカテーテルの実質的に全長に延在するガイドワイヤ内腔５２８を有するオーバーザワイヤ（ＯＴＷ）カテーテル構成を有する。別の実施形態（図示せず）では、索管理カテーテル５２０は、ガイドワイヤ内腔５２８が索管理カテーテル５２０の遠位部分内のみに延在するように、本発明の範囲から逸脱することなく、迅速交換式（ＲＸ）カテーテル構成であるように修正される。
【００３０】
加えて、変位構成要素５３０は、膨張内腔５２４が変位構成要素５３０の内部空間又は容積５３５と流体連通している限り、任意の好適な方法でシャフト構成要素５２２に封着されてよい。より具体的には、図８に最も良好に示されるように、変位構成要素５３０は、シャフト構成要素５２２の遠位端に封着され、その結果、シャフト構成要素５２２は変位構成要素５３０の最外表面に沿って延在する。図９に示す別の実施形態では、変位構成要素９３０は、シャフト構成要素９２２の遠位端に封着され、その結果、シャフト構成要素９２２は、変位構成要素９３０の中央内腔９３８内で変位構成要素９３０の最内表面に沿って延在する。変位構成要素９３０の中央内腔９２８内にシャフト構成要素９２２を配置することによって、変位構成要素９３０は、左室又は右室を本質的に充填する、比較的より広い寸法に半径方向に拡張するように構成され得る。
【００３１】
図１０Ａ〜１０Ｄに示される別の実施形態では、索管理カテーテル１０２０は、シャフト構成要素１０２２上に配置された後退可能な外側シース１０２７を含む。変位構成要素１０３０は、変位構成要素５３０に類似の膨張可能なバルーンであるが、この実施形態では、変位構成要素１０３０は、シャフト構成要素１０２２の最遠位端又は先端に取り付けられている。シャフト構成要素１０２２は、その内部を通る膨張内腔（図示せず）を画定し、これは、変位構成要素１０３０の内部空間又は容積と流体連通しており、ガイドワイヤ内腔（図示せず）も画定し得る。外側シース１０２７は、図１０Ａに示されるように送達中に変位構成要素１０３０を収容するように設けられ、図１０Ｂ〜１０Ｄに示されるように変位構成要素１０３０を膨張させることが望ましいときに後退する。より具体的には、図１０Ｂは、外側シース１０２７が後退しているものの、変位構成要素１０３０はまだ膨張していないことを示し、図１０Ｃ及び１０Ｄは、それぞれ変位構成要素１０３０の膨張後の側面図及び端面図である。シャフト構成要素１０２２の最遠位端又は先端に変位構成要素１０３０を配置することにより、索管理カテーテル１０２０は、図２３及び２４で説明されるような経大動脈アプローチによって左室内に位置付けられる場合に特に有用であり得る。これは、変位構成要素１０３０の中央内腔１０３８は、変位構成要素１０３０の膨張時に、索管理カテーテル１０２０の遠位に配置されるためである。
【００３２】
膨張した円筒状外形又は構成で示されているが、変位構成要素５３０は、腱索を押す又は変位させ、左室又は右室内に後に導入される弁送達システムの経路又はルートの障害物を除去するように構成されている他の構成を有してよい。例えば、図１１は、本発明の別の実施形態による、展開又は拡張構成で示される変位構成要素１１３０の斜視図である。拡張又は膨張構成では、変位構成要素１１３０は、その断面がその内部を通る中央開口部又は内腔１１３８を画定するようにドーナツ形状又はトロイド形状の構成を有する環状構成要素である。図１２は、本発明の別の実施形態による、展開又は拡張構成で示される変位構成要素１２３０の斜視図である。拡張又は膨張構成では、変位構成要素１２３０は円筒状ではなく、膨張した球状外形又は構成を有する。変位構成要素１２３０は、弁送達システムの以降の送達のために、その内部を通る中央開口部又は内腔１２３８を画定する。図１３は、本発明の別の実施形態による、展開又は拡張構成で示される変位構成要素１３３０の斜視図である。拡張又は膨張構成では、変位構成要素１２３０は、円筒状外形又は構成を有するが、変位構成要素の残りの長さの外径よりも大きい外径を有する最遠位フランジ又は縁部１３９６も含む。変位構成要素１３３０は、弁送達システムの以降の送達のために、その内部を通る中央開口部又は内腔１３３８を画定する。原位置での膨張時に、最遠位フランジ又は縁部１３９６は、左房内に配置され、弁送達システムの送達中に生来の僧帽弁輪に接触して、変位構成要素１３３０を固定するように構成されている。本発明のある実施形態では、最遠位フランジ又は縁部１３９６は、放射線不透過性材料から形成されてよく、及び／又は弁の埋め込み中に放射線不透過性マーカーとして機能する放射線不透過性コーティングを含んでよい。
【００３３】
図１４は、本発明の別の実施形態による変位構成要素１４３０の斜視図である。変位構成要素１４３０は、環状構成又は外形を有する、拡張可能なメッシュ又は編組構成要素であり、展開又は拡張構成で示されている。変位構成要素１４３０は、一緒に織られた複数の金属ワイヤ若しくはフィラメントから構成される編組構造、又は型打ちメッシュ１４３７を含み、その断面がその内部を通る中央開口部若しくは内腔１４３８を画定して、弁送達システムの以降の送達を可能にするように、トロイド形状又はドーナッツ形状の構成を有する。変位構成要素１４３０の拡張時にメッシュ１４３７によって画定される開放空間１４３９により、血液又は他の流体は、弁置換／修復処置中にその内部を通って流れることができ、それによって血流が遮断されない、又は閉塞しない。図１４に示される実施形態では、変位構成要素１４３０は自己拡張性であり、これは、拡張又は展開構成に戻るための機械的記憶を有することを意味する。機械的記憶は、変位構成要素１４３０を形成する編組又はメッシュ構造体に対して熱処理によって付与され、例えば、ステンレス鋼においてスプリングテンパ−を達成してよい、又は、ニチノールなど影響を受けやすい金属合金に形状記憶を設定してよい。拡張可能な変位構成要素１４３０は、外側シース（図示せず）内でその送達構成において保持又は圧縮され、その結果、変位構成要素１４３０は、縮小した外形で脈管構造を通って追跡されるように構成されている。変位構成要素１４３０を環状トロイド形状又はドーナツ形状の構成に拡張することが望ましい場合、外側シースは、変位構成要素１４３０が解放され、その拡張構成をとることができるように引き抜かれる。図１５に示される本発明の別の実施形態では、変位構成要素１５３０は、その内部を通る開口部又は内腔１５３８を画定する拡張可能なリングであってよく、変位構成要素１４３０と同様に動作するように自己拡張性材料から形成される。
【００３４】
本発明のある実施形態では、変位構成要素は、索管理カテーテル及び左房内のアンカーから解放され、以降は埋め込み後に心臓弁プロテーゼの一部となり、弁周囲漏出を防止するように構成されてよい。より具体的には、図４４は、本発明の別の実施形態による、展開又は拡張構成で示される変位構成要素４４３０の斜視図である。変位構成要素４４３０は、内部を通る中央開口部又は内腔４４３８を画定して、弁送達システムの以降の送達を可能にする、拡張可能なメッシュ又は編組構成要素である。変位構成要素４４３０は、一緒に織られた複数の金属ワイヤ若しくはフィラメントから構成される編組構造、又は型打ちメッシュ４４３７を含む。変位構成要素４４３０の拡張時にメッシュ４４３７によって画定される開放空間４４３９により、血液又は他の流体は、弁置換／修復処置中にその内部を通って流れることができ、それによって血流が遮断されない、又は閉塞しない。拡張又は展開構成では、変位構成要素４４３０は、円筒状外形又は構成を有するが、変位構成要素の残りの長さの外径よりも大きい外径を有する最遠位フランジ又は縁部４４９６も含む。原位置での展開時に、最遠位フランジ又は縁部４４９６は、左房内に配置され、弁送達システムの送達中に生来の僧帽弁輪に接触して、変位構成要素４４３０を固定するように構成されている。本発明のある実施形態では、最遠位フランジ又は縁部４４９６は、放射線不透過性材料から形成されてよく、及び／又は弁の埋め込み中に放射線不透過性マーカーとして機能する放射線不透過性コーティングを含んでよい。変位構成要素４４３０は自己拡張性であり、これは、拡張又は展開構成に戻るための機械的記憶を有することを意味する。機械的記憶は、変位構成要素４４３０を形成する編組又はメッシュ構造体に対して熱処理によって付与され、例えば、ステンレス鋼においてスプリングテンパ−を達成してよい、又は、ニチノールなど影響を受けやすい金属合金に形状記憶を設定してよい。拡張可能な変位構成要素４４３０は、外側シース（図示せず）内でその送達構成において保持又は圧縮され、その結果、変位構成要素４４３０は、縮小した外形で脈管構造を通って追跡されるように構成されている。変位構成要素４４３０を展開構成に拡張することが望ましい場合、外側シースは、変位構成要素４４３０が索管理カテーテルから解放され、その拡張構成をとることができるように、引き抜かれる。
【００３５】
変位構成要素４４３０は、自己拡張性ポリマー材料などの比較的軟質又は半軟質の材料から形成される。生来の弁内に送達されて展開されると、最遠位フランジ又は縁部４４９６は左房内に配置され、生来の僧帽弁輪に接触して変位構成要素４４３０を固定し、それによって索管理カテーテルの取り出しを可能にする。中央開口部又は内腔４４３８、並びにメッシュ４４３７によって画定される開放空間４４３９は、血流が遮断されない、又は閉塞しないように弁プロテーゼの送達中に血液又は他の流体がその内部を通って流れることができるようにする。次いで、弁送達カテーテルは中央開口部又は内腔４４３８を通って前進させられてよく、弁プロテーゼは中央開口部又は内腔４４３８内で展開されてよい。弁プロテーゼが変位構成要素４４３０内で展開されると、弁プロテーゼの反半径方向力は、弁プロテーゼ及び変位構成要素４４３０を共に取り付ける、又は固定する。より具体的には、変位構成要素４４３０は比較的軟質又は半軟質の材料から形成されるため、弁プロテーゼの拡張により変位構成要素４４３０は圧縮され、それによって、拡張した弁プロテーゼと生来の解剖学的構造との間に変位構成要素４４３０を固定する。拡張した弁プロテーゼと生来の解剖学的構造との間に挟まれると、変位構成要素４４３０は、狭窄、カルシウム、又は不規則な弁尖形成に起因して弁プロテーゼが生来の解剖学的構造に適合しないようにし得る、拡張した弁プロテーゼの外側表面と生来の弁組織との間の任意／全ての間隙又は空洞／隙間を実質的に充填する。本明細書で使用するとき、「実質的に」は、標的間隙又は空洞を通って流れる血流が閉塞する、又は遮断される、つまり換言すると、血液がそこを通って流れることが許可されないことを意味する。拡張した弁プロテーゼと生来の解剖学的構造との間に挟まれると、変位構成要素４４３０は、心臓弁プロテーゼの周囲の連続的な周方向シールとして機能し、弁プロテーゼの外周の周りの血流を遮断又は防止し、それによって埋め込み部位における弁周囲漏出を最小限に抑える、及び／又は排除する。
【００３６】
拡張した弁プロテーゼと変位構成要素４４３０との間の固定を改善するために、拡張した弁プロテーゼ及び変位構成要素４４３０は、原位置での拡張時に構成要素間に完全に適合するために、不規則な嵌合表面を含んでよい。例えば、図４５に示すように、変位構成要素４５３０の内側表面４５９０は、その上に形成された雌型ノッチ４５９２を含む。換言すれば、中央開口部又は内腔４５３８は、その上に形成された雌型ノッチ４５９２を含む。変位構成要素４５３０は、変位構成要素４５３０に類似であり、その内部を通る中央開口部又は内腔４５３８を画定して、弁送達システムの以降の送達を可能にする、拡張可能なメッシュ又は編組構成要素である。変位構成要素４５３０の拡張時にメッシュ４５３７によって画定される開放空間４５３９により、血液又は他の流体は、弁置換／修復処置中にその内部を通って流れることができ、それによって血流が遮断されない、又は閉塞しない。拡張又は展開構成では、変位構成要素４５３０は、円筒状外形又は構成を有するが、変位構成要素の残りの長さの外径よりも大きい外径を有する最遠位フランジ又は縁部４５９６も含み、これは、左房内に配置され、弁送達システムの送達中に生来の僧帽弁輪に接触して、変位構成要素４５３０を固定するように構成されている。変位構成要素４５３０は、自己拡張性ポリマー材料などの比較的軟質又は半軟質の材料から形成される。弁プロテーゼ４５０１が変位構成要素４５３０内で展開されると、弁プロテーゼの反半径方向力は、弁プロテーゼ及び変位構成要素４５３０を共に取り付ける、又は固定する。拡張した弁プロテーゼ４５０１と生来の解剖学的構造との間に挟まれると、変位構成要素４５３０は、狭窄、カルシウム、又は不規則な弁尖形成に起因して、弁プロテーゼが生来の解剖学的構造に適合しないようにし得る、拡張した弁プロテーゼの外側表面と生来の弁組織との間の任意／全ての間隙又は空洞／隙間を実質的に充填する。弁プロテーゼ４５０１は、雌型ノッチ４５９２と嵌合するように構成されている雄突起部４５９４を含むように修正されることを除いて、上記の弁プロテーゼ１０１に類似してよい。弁プロテーゼ４５０１が中央開口部又は内腔４５３８内で拡張すると、弁プロテーゼ４５０１の雄型突起部４５９４は、変位構成要素４５３０の雌型ノッチ４５９２内にしっかりと適合して、構成要素間の適合を強化する。
【００３７】
図１６は、本発明の別の実施形態による変位構成要素１６３０の斜視図であり、図１６Ａは、図１６の線Ａ−Ａに沿って切り取られた変位構成要素１６３０の断面図である。図１６及び１６Ａに示される拡張又は膨張構成では、変位構成要素１６３０は、その内部を通る中央内腔又は通路１６３８を画定する円筒状の膨張可能なバルーンである。中央内腔５３８と同様に、中央内腔１６３８は、弁送達システムの以降の送達を可能にする。より具体的には、中央内腔１６３８は、弁送達システム内に収容された弁プロテーゼの展開に先立って弁送達システムを生来の弁輪へと誘導するために、弁送達システムが拡張した変位構成要素１６３０を通って以降に送達され得るサイズであり、そのように構成されている。拡張した変位構成要素１６３０は、腱索を押すか又は変位させ、左室又は右室内に後に導入される弁送達システムの経路又はルートの障害物を除去し、より良好に人工弁を展開するために、弁置換／修復処置の開始時に生来の弁輪内に位置付けられる。拡張した変位構成要素１６３０は、外壁又は周面１６３４と、内壁又は周面１６３６と、を有する環状断面を有し、内部空間又は容積１６３５が外壁１６３４と内壁１６３６との間に画定されている。
【００３８】
変位構成要素１６３０は、造影剤溶液を受容するための内部空間又は容積１６３５内の複数の一体型チャネル又はポケット１６３１Ａ、１６３１Ｂ、１６３１Ｃ（本明細書ではポケット１６３１と総称される）を含む。一体型ポケット１６３１には、弁送達システムの適切な位置合わせ及び位置付けを支援するマーカーが設けられ、その後弁送達システムは、拡張した変位構成要素１６３０の中央内腔１６３８を通って送達される。ポケット１６３１は模様又は幾何学的形状を形成し、この模様を有さないバルーンよりも、Ｘ線透視下で変位構成要素１６３０を見やすくする。ある実施形態では、図１６に示されるように、模様又は幾何学的形状は、３つの円周方向に離間したポケット１６３１を含むが、他の模様も好適であり得る。
【００３９】
図１７は、取り付けられた変位構成要素１６３０を有する索管理カテーテル１６２０の斜視図である。図１７Ａは、図１７の線Ａ−Ａに沿って切り取られた断面図である。単一の膨張内腔とは対照的に、索管理カテーテル１６２０は、造影剤溶液を送達するための第１膨張内腔１６２４Ａと、生理食塩水を送達するための第２膨張内腔１６２４Ｂと、を含む。より具体的には、索管理カテーテル１６２０は、シャフト構成要素１６２２と、シャフト構成要素１６２２の近位端に配置されたルアーハブ１６２５と、近位ガイドワイヤポート１６２１を有するルアーハブ１６２６と、膨張流体源に接続され得る２つの近位膨張ポート１６２３Ａ、１６２３Ｂと、を含む。シャフト構成要素１６２２は、多内腔異形押出によって形成され、その内部を通るガイドワイヤ内腔１６２８、並びに第１及び第２膨張内腔１６２４Ａ、１６２４Ｂを画定する。ガイドワイヤ内腔１６２８は、図１７に示されるように、索管理カテーテル１６２０が、その送達中にガイドワイヤ上で追跡されるように構成されているように、ルアーハブ１６２５の近位ガイドワイヤポート１６３２を通ってガイドワイヤ１６３２を摺動自在に受容するサイズである。
【００４０】
変位構成要素１６３０の少なくとも一部は、シャフト構成要素１６２２と長手方向にオフセットされるように、シャフト構成要素１６２２に封着される。図１６の実施形態では、変位構成要素１６３０は、変位構成要素１６３０の近位端及び遠位端に位置付けられた取り付け点１６２６Ａ、１６２６Ｂにおいて、シャフト構成要素１６２２の外側表面に封着される。取り付け点５２６Ａに沿って、シャフト構成要素１６２２は第１遠位膨張ポート又は開口部（図示せず）を含み、第１膨張内腔１６２４Ａと変位構成要素５３０のポケット１６３１の内部容積との間に流体連通を提供する。膨張内腔１６２４Ａにより、造影剤溶液は、ルアーハブ１６２５の近位膨張ポート１６２３Ａを通って索管理カテーテル１６２０の近位端において受容され、変位構成要素１６３０に送達されることが可能になる。第１膨張内腔１６２４Ａ内に造影剤溶液が提供されると、変位構成要素５３０のポケットの内部容積１６３１が充填される。シャフト構成要素１６２２は、取り付け点５２６Ａに沿って第２遠位膨張ポート又は開口部（図示せず）を含み、第２膨張内腔５２４Ｂと変位構成要素１６３０の内部容積１６３５との間に流体連通を提供する。膨張内腔１６２４Ｂにより、膨張流体は、索管理カテーテル１６２０の近位端にあるルアーハブ１６２５の近位膨張ポート１６２３Ｂを通って受容され、変位構成要素１６３０に送達されることが可能になる。膨張流体が膨張内腔１６２４Ｂ内で提供されるとき、膨張流体は、変位構成要素を拡張構成へと膨張させるために、変位構成要素１６３０の内部容積１６３５を充填する。
【００４１】
図１８〜２２を参照して、索管理カテーテル５２０を使用して心臓の生来の弁輪に弁プロテーゼを送達する（生来の弁は腱索を有する）方法を説明する。図１８を参照すると、索管理カテーテル５２０は、ガイドワイヤ５３２上での追跡後の原位置で示されており、その変位構成要素５３０は、送達又は非拡張構成である。この実施形態では、索管理カテーテルは、経心尖アプローチによって左室内に位置付けられ、心臓の左室内に索管理カテーテル５２０を位置付けることは、心尖部にカテーテルを導入すること、並びに心尖部に隣接する心室壁を通ってカテーテルを導入することを含む。換言すれば、本発明で使用するとき、「経心尖アプローチ」は、心尖部のみを介した導入に限定されるものではなく、心尖部に隣接する心室壁も含む。これは、心臓の解剖学的構造が患者ごとに異なるためである。更に、上述したように、図１８では生来の僧帽弁に関連する腱索の治療のために左室に導入されるものとして記載されているが、生来の三尖弁に関連する腱索を治療するために、索管理カテーテル５２０を右室に同様に導入できる。索管理カテーテル５２０は、その遠位先端が生来の僧帽弁輪の下の左室、すなわち、生来の僧帽弁の下側に位置付けられるまで操作され、前進させられる。別の実施形態では、索管理カテーテル５２０は、変位構成要素５３０が生来の僧帽弁の下側と係合する、又は接触するまで操作され、前進させられる。索管理カテーテル５２０は、カテーテルが所望どおりに位置付けられた後に取り出され得るガイドワイヤ５３２上で追跡されてよい。
【００４２】
変位構成要素５３０が記載されるように左室内に位置付けられると、図１９に示されるように、変位構成要素５３０は膨張させられ、展開又は拡張構成となる。変位バルーン５３０は心室内で膨張させられて、全ての索腱、小柱、及び心室バンドを心室壁に向かって半径方向外向きに押す。索腱索の変位は腱索を損傷せず、むしろ、変位構成要素５３０の中央開口部５３８は、未閉塞のチャネル又は経路を生来の僧帽弁に提供する。本発明のある実施形態では、当業者には理解されるように、変位構成要素５３０は、内視鏡（図示せず）を用いて膨張させられてよい。変位構成要素５３０は、完全に膨張又は拡張してよく、又は部分的に膨張若しくは拡張してよく、又は必要に応じて拡張して、全ての索腱、小柱、及び心室バンドを心室壁に向かって半径方向外向きに押す。左室のサイズに対する変位構成要素５３０の幅及び長さは、図１９に示されるものとは異なり得る。例えば、拡張又は膨張した変位構成要素は、図示されているものより長い長さを有するように構成されていて、生来の僧帽弁の下側から左室の底部まで延在してよい、又は図１１の環状ドーナツ形状構成などに示されるものよりも短い長さを有するように構成されてよい。同様に、拡張又は膨張した変位構成要素は、図示されているものよりも大きい幅を有するように構成されていて、左室を本質的に充填し、乳頭筋を心室壁に向かって、またそれに対して半径方向外向きに押してよい。寸法は用途に応じて異なり、未閉塞のチャネル又は経路を生来の僧帽弁に提供するように十分に腱索を外側に押すように構成されていることのみが必須である。
【００４３】
変位構成要素５３０が左室内に位置付けられ、拡張されて腱索を変位させると、弁プロテーゼ１０１が取り付けられた弁送達システム２０４０は治療部位に送達され、図２０に示すように、拡張した変位構成要素５３０の中央開口部５３８を通って前進させられる。弁送達システム２０４０は、変位構成要素の中央開口部内での前進後の原位置で示され、弁プロテーゼ１０１は送達又は非拡張構成である。この実施形態では、弁送達システム２０４０は、経心尖アプローチによって左室内に位置付けられ、心臓の左室内に弁送達システム２０４０を位置付けることは、心尖部にカテーテルを導入すること、並びに心尖部に隣接する心室壁を通ってカテーテルを導入することを含む。換言すれば、本明細書に前述したように、本明細書で使用するとき、「経心尖アプローチ」は、心尖部のみを介した導入に限定されるものではなく、心尖部に隣接する心室壁も含む。これは、心臓の解剖学的構造が患者ごとに異なるためである。更に、上述したように、図２０では生来の僧帽弁の弁置換のために左室に導入されるものとして記載されているが、生来の三尖弁の弁置換のために、弁送達システム２０４０は、右室に同様に導入され得る。弁送達システム２０４０は操作され、膨張した変位構成要素５３０の中央内腔５３８を通って心臓の生来の僧帽弁輪に向かって前進させられる。
【００４４】
図２０では、弁送達システム２０４０は、送達又は圧縮構成の弁プロテーゼ１０１（図２０では閉塞しているが、図２２に示される）と共に示されており、弁プロテーゼは、弁送達システムの遠位カプセル部２０４２内に装填されている。弁送達システム２０４０は、欠陥のある心臓弁の経カテーテル修復／置換のために構成されている。図２０Ａに示されるように、弁送達システム２０４０はまた、その内部を通る内腔２０４８を画定する管状シャフト構成要素２０４６と、その内部を通る内腔２０５２を画定する管状内側シャフト２０５０と、を含む。遠位端２０４１は、内側シャフト２０５０の遠位端に連結されている。内側シャフト２０５０は、シャフト構成要素２０４６の内腔２０４８内に同心円状に配置され、内側シャフト２０５０の内腔２０５２は、ガイドワイヤ２０５４を摺動自在に受容するサイズであり、したがって弁送達システム２０４０は、所望に応じて弁プロテーゼの送達中にガイドワイヤ上で追跡されるように構成されている。ただし、弁送達システム２０４０は、膨張した変位構成要素５３０の中央内腔５３８を通って前進するため、ガイドワイヤ上での追跡は必須ではない。図２０の送達構成では、遠位カプセル部２０４２は、弁プロテーゼ上に配置されて、内側シャフト２０５０と圧着係合する弁プロテーゼに圧力をかけて保持する。弁送達システム２０４０は、参照によりその全体が本明細書に以前組み込まれた米国特許第９，０３４，０３２号（ＭｃＬｅａｎら）、参照によりその全体が本明細書に組み込まれる、同第２０１１／０２４５９１７号（Ｓａｖａｇｅら）、同第２０１１／０２５１６７５号（Ｄｗｏｒｋ）、同第２０１１／０２５１６８１号（Ｓｈｉｐｌｅｙら）、同第２０１１／０２５１６８２号（Ｍｕｒｒａｙ，ＩＩＩら）、及び同第２０１１／０２６４２０２号（Ｍｕｒｒａｙ，ＩＩＩら）に記載されている送達システムのうちの１つであり得るが、これらに限定されるものではない。弁送達システム２０４０の遠位端２０４１は、生来の弁輪を越えて前進させられ、左房内に位置する。
【００４５】
弁送達システム２０４０の所望どおりの位置付け後、変位構成要素５３０は、少なくとも部分的に収縮するか、又は非拡張であり、索管理カテーテル５２０は、図２１に示されるように、少なくとも部分的に近位方向に引き抜かれるか、又は後退させられる。索管理カテーテル５２０は、弁プロテーゼ１０１の送達への干渉を回避するために、少なくとも部分的に近位方向に引き抜かれるか、又は後退させられる。索管理カテーテル５２０が少なくとも近位に引き抜かれた後、弁プロテーゼ１０１は、図２２に示されるように完全に展開又は拡張される。より具体的には、弁送達システム２０４０の遠位カプセル部２０４２は近位に後退させられて、弁プロテーゼ１０１の全長を露出して解放する。弁プロテーゼ１０１は自己拡張して、周囲の生来の解剖学的構造、すなわち、生来の弁輪と並置される。次いで弁送達システム２０４０は、部分的に収縮した又は収縮した変位構成要素５３０の中央内腔５３８を通って近位に後退させられてよく、その後、変位構成要素５３０は完全に収縮し、索管理カテーテル５２０は取り出される。
【００４６】
本発明の別の実施形態では、弁プロテーゼは、変位構成要素の収縮及び後退に先立って完全に展開される。より具体的には、膨張した変位構成要素５３０が、弁プロテーゼ１０１の展開に干渉しないように位置付けられる場合、弁プロテーゼ１０１は、索管理カテーテル５２０及び拡張した変位構成要素５３０を定位置に配置したままで、展開されてよい。次いで弁送達システム２０４０は、膨張した変位構成要素５３０の中央内腔５３８を通って近位に後退させられてよく、その後、変位構成要素５３０は収縮し、索管理カテーテル５２０は取り出される。
【００４７】
経心尖的に送達されるものとして記載されているが、索管理カテーテル５２０及び変位構成要素５３０は、別のアクセスルートを介して送達されてよい。例えば、図２３は、経大動脈アプローチによって左室内に位置付けられている変位構成要素２３３０を有する索管理カテーテル２３２０を示す。変位構成要素２３３０は、大動脈を通って左室にナビゲートされる。左室内に位置付けられると、変位構成要素２３３０は膨張させられて腱索を変位させ、弁送達システム（図示せず）は、上述のように変位構成要素２３３０の中央内腔２３３８を通って経心尖的に送達される。介入心臓学及び／又は介入放射線学の分野において既知の技術に従って、図２３に示されるような経大動脈アプローチによって索管理カテーテル２３２０を左室内に位置付けるために、索管理カテーテル２３２０は、脈管構造を通って、患者の左室ＬＶと患者の大動脈Ａとの間に延在する生来の大動脈弁ＡＶまで逆行性アプローチで経腔的に前進させられる。生来の大動脈弁ＡＶへの索管理カテーテル２３２０の送達は、生来の大動脈弁ＡＶにアクセスするために、送達システムが大腿動脈を通って、大動脈を上り、大動脈弓の周囲で追跡される、経皮的大腿アプローチによって達成される。索管理カテーテル２３２０は、腱管理カテーテル２３２０に生来の大動脈弁ＡＶを通過させて左室に入れることによって、左室に更に送達される。
【００４８】
複数の変位構成要素を使用することにより、腱索は更に管理され得る。図２４を参照すると、２つの索管理カテーテル２４２０Ａ、２４２０Ｂは、経大動脈アプローチによって左室内に順次位置付けられる。各カテーテル２４２０Ａ、２４２０Ｂは、ドーナツ形状又はトロイド形状の構成を有する変位構成要素１１３０に類似の変位構成要素２４３０Ａ、２４３０Ｂを含む。索管理カテーテル２４２０Ａ、２４２０Ｂは、変位構成要素２４３０Ａ、２４３０Ｂが長手方向かつ円周方向に整列するように位置付けられる。両方の変位構成要素が心室内で膨張させられて、腱索を半径方向外向きに押す。両方の変位構成要素２４３０Ａ、２４３０Ｂが膨張させられると、弁送達システム（図示せず）は、膨張した変位構成要素２４３０Ａの中央内腔２４３８Ａを通って、並びに膨張した変位構成要素２４３０Ｂの中央内腔２４３８Ｂを通って経心尖的に送達される。
【００４９】
図２５は、変位構成要素２５３０を有する索管理カテーテル２５２０が、経心尖アプローチによって左室内に位置付けられ得るという点で、別の代替的なアクセスルートを示す。変位構成要素２５３０は、心房中隔を介して左房内へ、そして左室内へとナビゲートされる。左室内に位置付けられると、変位構成要素２５３０は膨張させられて腱索を変位させ、弁送達システム（図示せず）は、上述のように変位構成要素２５３０の中央内腔２５３８を通って経心尖的に送達される。介入心臓学及び／又は介入放射線学の分野において既知の技術に従って、図２５に示されるように、心房隔膜を介して左房内に索管理カテーテル２５２０を位置付けるために、索管理カテーテル２５２０は、経皮進入点を介して脈管構造に導入された後に示され（別称、Ｓｅｌｄｉｎｇｅｒ法）、血管構造を通って追跡され、左房に入る。例えば、経皮進入点は、大腿静脈に形成されてもよい。その後、ガイドワイヤ２５３２は循環系を通って前進させられ、最終的に心臓に到着する。ガイドワイヤ２５３２は右房内へと方向付けられ、右房を横切り、経中隔ニードル又は既に存在している貫通孔の助けを受けて、心房中隔を穿刺し、これにより左房に進入する。ガイドワイヤ２５３２が位置付けられると、管腔内進入口、及び心房中隔が拡張されて、ガイドカテーテル（図示せず）及び／又は索管理カテーテル２５２０の左房への進入が可能になる。その後、索管理カテーテル２５２０は、穿刺された心房中隔を通って左房内へと前進させられ、僧帽弁ＭＶを通って左室内に位置付けられる。図示されていないが、心房中隔を通って前進させられるために、索管理カテーテル２５２０がガイドカテーテルに挿入され得ることは、当業者に理解されるであろう。加えて、僧帽弁に経皮的にアクセスするための経大腿動脈アプローチとして記載されているが、索管理カテーテル２５２０は、僧帽弁にアクセスするための開胸による経中隔順行性アプローチなど他の異なる方法での進入により、心臓の所望の領域内に位置付けられてよい。
【００５０】
図２６〜３８は、変位構成要素２６３０が、尖部からの僧帽へのアクセスに干渉する腱索を再配置する又は変位させる、半径方向に拡張可能な漏斗又は円錐状構成要素であり、変位構成要素２６３０によって画定される中央内腔２６３８は、弁送達システムが通過して弁プロテーゼを展開するため、及び弁の展開後に弁送達システムを安全に取り出すための障害物のない経路又はルートを提供する、本発明の別の実施形態を示す。変位構成要素２６３０は、心臓の左室又は右室内で展開し、索腱を変位させるように構成されており、それによって、変位構成要素２６３０によって画定された中央内腔又は通路２６３８を通って前進させられる、以降に送達される弁送達システムのために経路の障害物を除去する。変位構成要素２６３０は、図２６に展開されて示されている。変位構成要素２６３０は、図２６に最も良好に示される、自己拡張性材料から形成され、形状設定される平坦又は平面要素２６７２であり、展開又は拡張構成に形状設定された円錐又は漏斗構成又は外形２６７４として説明され得る。本発明のある実施形態では、平坦又は平面要素２６７２は、ニチノール又は別の自己拡張性材料から形成されたメッシュである。遠位周方向端２６８２は、本明細書でより詳細に記載される、索管理カテーテル２６２０の外側シース２６６０の遠位端２６６１内に配置される、変位構成要素２６３０の近位の、又は対向する周方向端２６８１よりも幅広である。変位構成要素２６３０は、本明細書でより詳細に記載されるように、索管理カテーテル２６２０の中間シャフト２６６４に取り付けられた又は固定された少なくとも近位端を有する第１、つまり内側長手方向縁部２６７６を含み、また、本実施形態では、索管理カテーテルに束縛されない、又は取り付けられていない第２、つまり外側長手方向縁部２６７８を含む。
【００５１】
より具体的には、図２７、２７Ａ、及び２７Ｂを参照して、遠位端に変位構成要素２６３０を有する索管理カテーテル２６２０について、より詳細に説明する。索管理カテーテル２６２０は、その内部を通る内腔２６６２を画定する外側シャフト２６６０と、その内部を通る内腔２６６６を画定する中間シャフト２６６４と、を含む。中間シャフト２６６４は、外側シャフト２６６０内に同心円状に配置される。外側シャフト２６６０は後退可能であり、したがって中間シャフト２６６４に対して長手方向に移動可能である。中間シャフト２６６４の長さは様々であってよい。より具体的には、中間シャフト２６６４は、変位構成要素２６３０の遠位周方向端２６８２まで遠位に延在してよく、その場合、内側長手方向縁部２６７６の全長は中間シャフト２６６４に取り付けられてよい。しかしながら、中間シャフト２６６４は、少なくとも内側長手方向縁部２６７６の近位端又は近位部分がそこに取り付けられる、又は固定され得るように、変位構成要素２６３０の近位周方向端２６８１まで遠位に延在することのみが必須である。本明細書に記載の実施形態では、中間シャフト２６６４は、内側長手方向縁部２６７６の近位端又近位部分のみが、それに取り付けられる、又は固定されるように、変位構成要素２６３０の近位周方向端２６８１まで遠位に延在する。図２７Ｂは、図２７の線Ｂ−Ｂに沿って切り取られた断面図であり、変位構成要素２６３０の所望の長さ及び寸法に応じて変化し得る中間シャフト２６６４の遠位端のおおよその位置を示す。
【００５２】
変位構成要素２６３０の送達中、変位構成要素２６３０は、図２７Ｂに示されるように、変位構成要素２６３０が外側シャフト２６６０の内腔２６６２内に封入される、又は収容される送達構成へと圧縮される。送達構成では、第１、つまり内側長手方向縁部２６７６の近位端又は近位部分は、結合部２６８０又は他の取り付け機構を介して、索管理カテーテル２６２０の中間シャフト２６６４に取り付けられる、又は固定される。変位構成要素２６３０の平坦又は平面要素２６７２は、索管理カテーテルの内腔２６６２内の密な螺旋状に包み込まれる。構成要素２６３０がその圧縮又は送達構成であるとき、平坦又は平面要素２６７２は、一連の１つ以上のループに螺旋状に巻き込まれ、その連続する又は隣接するループは、実質的にそれらの間に空間を有さずに互いに積み重ねられ、接触する。中間シャフト２６６４に固定される変位構成要素２６３０の近位周方向端２６８１では、変位構成要素２６３０の平坦又は平面要素２６７２は、中間シャフト２６６４の周囲の密な螺旋状に包み込まれる。換言すると、変位構成要素が送達構成であるとき、変位構成要素２６３０の近位周方向端２６８１は、中間シャフト２６６４の周囲に延在する一連の巻線を有し、その結果、各巻線は、外側シャフトと中間シャフトとの間に包囲される。
【００５３】
索管理カテーテル２６２０はまた、その内部を通る内腔２６６９を画定する内側シャフト２６６８を含んでよい。内側シャフト２６６８は、その遠位端に取り付けられたテーパ状遠位先端２６７０を含み、内側シャフト２６６８は、変位構成要素２６３０の送達中に中間シャフト２６６４の内腔２６６６内で摺動自在に受容される。内側シャフト２６６８は後退可能であり、したがって中間シャフト２６６４に対して長手方向に移動可能である。図２７、２７Ａ、及び２７Ｂに示されるようなある実施形態では、内側シャフト２６６８は、ガイドワイヤ２６３２を摺動自在に受容するためのガイドワイヤ内腔２６６９を画定してよく、その結果、索管理カテーテル２６２０は、ガイドワイヤの送達中にガイドワイヤ上で追跡され得る。内側シャフト２６６８は、図４１〜４３に関して説明されるように、変位構成要素２６３０の送達中にのみ用いられる。変位構成要素２６３０が展開されると、内側シャフト２６６８は近位に後退させられ、取り出され、その結果として、弁送達システムが中間シャフト２６６４の内腔２６６６を通って前進させられてよい。
【００５４】
変位構成要素２６３０の送達中、変位構成要素２６３０は、上述のように外側シャフト２６６０内に収容され、したがって、外側シャフト２６６０は、図２７に示されるように変位構成要素２６３０の長さにわたって延在する。変位構成要素２６３０の展開が望ましいとき、外側シャフト２６６０は、方向矢印２６５８によって示されるように近位に後退させられて変位構成要素２６３０を露出し、それによって、変位構成要素２６３０が、図２８に示されるように、その形状設定された展開又は拡張構成へと自己拡張できる。図２８は、その円錐又は漏斗構成又は外形２６７４へと自己拡張し、展開するプロセスにおいて部分的に展開された変位構成要素２６３０を示す。外側シャフト２６６０は、変位構成要素２６３０のほぼ全長が露出するまで後退させられるが、変位構成要素２６３０の近位周方向端部２６８１は、図２６に示され、上述されるように、変位構成要素２６３０が完全に展開されると、外側シャフト２６６０内に配置されたままである。変位構成要素２６３０を後退させる又は再捕捉するために、外側シャフト２６６０は、図２７及び２７Ｂに関して上述されたように、再捕捉されて送達構成になり、外側シャフト内に収容され得る変位構成要素２６３０の上を遠位に前進させられる。
【００５５】
索管理カテーテルに拘束されない、又は取り付けられていない変位構成要素２６３０の第２、つまり外側長手方向縁部は、非外傷性であるために、丸みを帯びているか、又はテーパ状であってよい。より具体的には、図２９は、変位構成要素２９３０が非外傷性外側長手方向縁部２９７８を含むことを除いて、図２６の変位構成要素２６３０に類似の変位構成要素２９３０を示す。非外傷性外側長手方向縁部２９７８は、変位構成要素２９３０の平坦又は平面要素２９７２とは異なる材料２９７９から形成される。例えば、平坦又は平面要素２９７２は自己拡張性材料から形成されるが、非外傷性外側長手方向縁部２９７８は、３５Ｄ以下のジュロ硬度を有する軟質ポリマーから形成される。図３０は、変位構成要素２９３０の遠位周方向端２９８２の端面図を示す。図３１の拡大図に示すように、非外傷性外側長手方向縁部２９７８の材料２９７９は、平坦又は平面要素２９７２の外側表面に対してテーパ状であってよい。別の実施形態では、図３２の拡大図に示されるように、非外傷性外側長手方向縁部３２７８の材料３２７９は丸みを帯びてよい。
【００５６】
加えて、変位構成要素２６３０の遠位周方向端は非外傷性であってよい。より具体的には、図３３は、変位構成要素３３３０が非外傷性遠位周方向端３３８２を含むことを除いて、図２６の変位構成要素２６３０に類似の変位構成要素３３３０を示す。非外傷性遠位周方向端３３８２は、変位構成要素３３３０の平坦又は平面要素３３７２とは異なる材料３３８３から形成される。例えば、平坦又は平面要素３３７２は自己拡張性材料から形成されるが、非外傷性遠位周方向端３３８２は、３５Ｄ以下のジュロ硬度を有する軟質ポリマーから形成される。
【００５７】
変位構成要素２６３０の平坦又は平面要素全体を自己拡張性材料で作製するのではなく、図３４〜３８は、ニチロール又は自己拡張性フィラメント３４８６が変位構成要素３４３０に含まれて、変位構成要素に自己拡張特性を提供する実施形態を示す。図３４では、平坦又は平面要素３４７２は、非自己拡張性材料から形成され、その内部に形成された周方向チャネル又は通路３４８４を含む。非自己拡張性材料は、例えば、ポリウレタン、ＨＤＰＥ、若しくはナイロンなどポリマーシート、織物ポリマー、又はＰＴＦＥ、ＨＤＰＥ、ＰＴＦＥ、ナイロン、若しくはポリウレタンなど繊維ポリマーであってよい。図３４は、２つの周方向チャネル又は通路３４８４を示すが、これより少ない又はこれより多い数の周方向チャネル又は通路が使用されてよい。図３５及び３６の側面図及び分解図にそれぞれ示されるように、自己拡張性フィラメント３４８６は周方向チャネル又は通路３４８４に収容されて、平坦又は平面要素３４７２の半径方向拡張を駆動する。図３７に示される本発明のある実施形態では、平坦又は平面要素３７７２は２つの積層シート層を含んで、自己拡張性フィラメント３７８６を受容するための周方向チャネル又は通路３７８４を形成する。図３８に示される本発明の別の実施形態では、周方向チャネル又は通路３８８４は、平坦又は平面要素３８７２に取り付けられた管状構成要素を介して形成され、管状構成要素は自己拡張性フィラメント３８８６を受容するように構成されている。
【００５８】
図３９〜４３は、展開方法を除いて変位構成要素２６３０に類似の変位構成要素３９３０のある実施形態を示す。変位構成要素２６３０に類似して、変位構成要素３９３０は、尖部から僧帽へのアクセスに干渉する腱索を再配置する又は変位させる、半径方向に拡張可能な漏斗又は円錐状構成要素であり、一方、変位構成要素３９３０によって画定される中央内腔３９３８は、弁送達システムが通過して弁プロテーゼを展開するため、及び弁の展開後に弁送達システムを安全に取り出すための障害物のない経路又はルートを提供する。変位構成要素３９３０は、心臓の左室又は右室内で展開し、索腱を変位させるように構成されており、それによって、変位構成要素３９３０によって画定された中央内腔又は通路３９３８を通って前進させられる、以降に送達される弁送達システムのために経路の障害物を除去する。変位構成要素３９３０は、図３９に展開又は拡張構成で示されており、円錐又は漏斗構成又は外形３９７４として説明されてよい。変位構成要素３９３０は、自己拡張性材料から形成され、展開又は拡張構成に形状設定されていてその展開を支援する、平坦又は平面要素３９７２である。遠位周方向端３９８２は、本明細書でより詳細に記載される、索管理カテーテル３９２０の外側シース３９６０の遠位端３９６１内に配置される、変位構成要素３９３０の近位の、又は対向する周方向端３９８１よりも幅広である。変位構成要素３９３０は、本明細書でより詳細に記載されるように、索管理カテーテル３９２０の中間シャフト３９６４に取り付けられた又は固定された第１、つまり内側長手方向縁部３９７６を含み、また、本明細書でより詳細に記載されるように、索管理カテーテル３９２０の外側シャフト３９６０に取り付けられた又は固定された第２、つまり外側長手方向縁部３９７８を含む。
【００５９】
より具体的には、図４０の端面図を参照すると、この実施形態では、索管理カテーテル３９２０は、外側シャフト３９６０と、中間シャフト３９６４と、を含む。中間シャフト３９６４は、外側シャフト３９６０内に同心円状に配置される。外側シャフト３９６０は、中間シャフト３９６４に対して回転可能であり、及び／又は中間シャフト３９６４は、外側シャフト３９６０に対して回転可能である。変位構成要素３９３０の送達中、変位構成要素３９３０は、図４０の端面図に示されるように、変位構成要素３９３０が、外側シャフト３９６０と中間シャフト３９６４との間に半径方向に延在する密巻螺旋状である送達構成である。換言すれば、変位構成要素３９３０の最外表面は送達構成であり、外側シャフト３９６０の外径以下である。構成要素２９３０がその圧縮又は送達構成であるとき、平坦又は平面要素２９７２は、一連の１つ以上のループに螺旋状に巻き込まれ、その連続する又は隣接するループは、実質的にそれらの間に空間を有さずに互いに積み重ねられ、接触する。特に、この実施形態では、変位構成要素３９３０は、その送達中に索管理カテーテルの内腔空間内に収容又は包囲されず、むしろ平坦又は平面的な要素３９７２は（変位構成要素３９３０の近位周方向端３９８１を除いて）露出し、その送達中に索管理カテーテル３９２０の遠位端部分を形成する。第１、つまり内側長手方向縁部３９７６の近位端は、結合部３９８０又は他の取り付け機構を介して索管理カテーテル３９２０の中間シャフト３９６４に取り付けられる、又は固定され、第２、つまり外側長手方向縁部３９７８の近位端は、結合部３９７９又は他の取り付け機構を介して索管理カテーテル３９２０の外側シャフト３９６０に取り付けられる、又は固定される。外側及び中間シャフト３９６０、３６６４の遠位端３９６１、３９６５は、それぞれ同一平面であり、送達中に変位構成要素３９３０の近位周方向端３９８１に隣接して配置される。
【００６０】
変位構成要素３９３０の展開又は拡張が望ましい場合、中間シャフト３９６４は、図３９の方向矢印３９８５によって示されるように、外側シャフト３９６０に対して回転させられる、又は向きを変えられる。より具体的には、中間シャフト３９６４が回転させられると、第１、つまり内側長手方向縁部３９７６はそれと共に回転させられ、変位構成要素３９３０は、その円錐形又は漏斗構成又は外形３９７４へと半径方向に拡張する、又は展開する。変位構成要素３９３０を後退させる又は再捕捉するためには、中間シャフト３９６４は、方向矢印３９８５とは反対方向に回転させられる。変位構成要素３９３０は、図４０に関して上述した送達構成の密巻螺旋に再捕捉又は収縮されてよい。
【００６１】
変位構成要素３９３０を拡張するために、中間シャフト３９６４は、外側シャフト３９６０に対して回転される、又は向きを変えられると本明細書に記載されているが、中間シャフト３９６４と外側シャフト３９６０との相対回転のみが必須であるため、外側シャフト３９６０が中間シャフト３９６４に対して回転させられてもよい。しかしながら、変位構成要素３９３０を拡張及び収縮させるために外側シャフト３９６０が回転させられる場合、外側シャフト３０６０は、方向矢印３９８５とは反対方向に回転させられて、その展開のために変位構成要素３９３０を拡張し、方向矢印３９８５によって示される方向に回転させられて、その再捕捉のために変位構成要素３９３０を収縮させる。
【００６２】
図３９〜４０には示されていないが、索管理カテーテル３９２０はまた、上述の内側シャフト２６６８に類似の内側シャフト３９６８を含んでよい。図４１〜４３は、内側シャフト３９６８を含む索管理カテーテル３９２０の使用方法を示す。内側シャフトは、その遠位端に取り付けられたテーパ状遠位先端３９７０を含み、内側シャフト３９６８は、図４１に示されるように、変位構成要素３９３０の送達中に中間シャフト３９６４の内腔３９６６内で摺動自在に受容される。内側シャフト３９６８は、ガイドワイヤ３９３２を摺動自在に受容するためのガイドワイヤ内腔（図４１には図示せず）を画定してよく、その結果、索管理カテーテル３９２０は、図４１に示されるように、その送達中にガイドワイヤ上で追跡され得る。
【００６３】
より具体的には、図４１を参照すると、索管理カテーテル３９２０は、ガイドワイヤ３９３２上での追跡後の原位置で示されており、その変位構成要素３９３０は、露出している送達又は非拡張構成であり、圧密螺旋状であり、脊索管理カテーテル３９２０の遠位端部分を形成する。この実施形態では、索管理カテーテルは、経心尖アプローチによって左室内に位置付けられ、心臓の左室内に索管理カテーテル３９２０を位置付けることは、心尖部にカテーテルを導入すること、並びに心尖部に隣接する心室壁を通ってカテーテルを導入することを含む。更に、上述したように、図４１では生来の僧帽弁に関連する腱索の治療のために左室に導入されるものとして記載されているが、生来の三尖弁に関連する腱索を治療するために、索管理カテーテル３９２０を右室に同様に導入できる。索管理カテーテル３９２０は、遠位先端３９７０が生来の僧帽弁輪の下の左室、すなわち、生来の僧帽弁の下側に位置付けられるまで操作され、前進させられる。別の実施形態では、索管理カテーテル３９２０は、変位構成要素３９３０が生来の僧帽弁の下側と係合する、又は接触するまで操作され、前進させられる。索管理カテーテル３９２０は、所望に応じてカテーテルが位置付けられた後に取り外され得るガイドワイヤ３０３２上で追跡されてよい。
【００６４】
変位構成要素２９３０が記載されるように左室内に位置付けられると、図４２に示されるように、変位構成要素２９３０は拡張又は展開されて、展開又は拡張構成になる。変位構成要素２９３０は心室内で拡張されて、全ての索腱、小柱、及び心室バンドを心室壁に向かって半径方向外向きに押す。索腱索の変位は腱索を損傷せず、むしろ、変位構成要素３９３０の中央開口部３９３８は、未閉塞のチャネル又は経路を生来の僧帽弁に提供する。変位構成要素３９３０は、完全に膨張又は拡張してよく、又は部分的に膨張若しくは拡張してよく、又は必要に応じて拡張して、全ての索腱、小柱、及び心室バンドを心室壁に向かって半径方向外向きに押す。左室のサイズに対する変位構成要素３９３０の幅及び長さは、図４２に示されるものとは異なり得る。例えば、拡張した変位構成要素は、図示されているものよりも長い長さを有するように構成されていて、生来の僧帽弁の下側から左室の底部まで延在してよい。同様に、拡張した変位構成要素は、図示されているものよりも大きい幅を有するように構成されていて、左室を本質的に充填し、乳頭筋を心室壁に向かって及びそれに対して半径方向外向きに押してよい。寸法は用途に応じて異なり、未閉塞のチャネル又は経路を生来の僧帽弁に提供するように十分に腱索を外側に押すように構成されていることのみが必須である。本明細書に記載されるように、変位構成要素３９３０の展開は、中間シャフト３９６４と外側シャフト３９６０との相対回転を介して生じる。変位構成要素３９２０が用いられる場合、その展開は、本明細書に記載されるように、外側シャフト２６６０の近位側への後退を介して生じる。
【００６５】
変位構成要素３９３０が左室内に位置付けられ、拡張され腱索を変位させると、上に遠位先端３９７０を有する内側シャフト３９６８が近位に後退させられ、取り出され、外側シャフト３９６０、中間シャフト３９６４、及び拡張した変位構成要素３９３０が原位置に残される。内側シャフト２６６８に関して説明されるように、内側シャフト３９６８は後退可能であり、したがって、中間シャフト３９６４に対して長手方向に移動可能である。変位構成要素３９３０が展開されると、内側シャフト３９６８は近位に後退させられ、取り出され、その結果、図４３に示されるように、弁送達システム２０４０は、中間シャフト３９６４の内腔３９６６を通って前進させられてよい。
【００６６】
より具体的には、取り付けられた弁プロテーゼ１０１を有する弁送達システム２０４０は治療部位に送達され、図４３に示すように、拡張した変位構成要素３９３０の中央開口部３９３８を通って前進させられる。弁送達システム２０４０は、変位構成要素の中央開口部内での前進後の原位置で示され、弁プロテーゼ１０１は送達又は非拡張構成である。この実施形態では、弁送達システム２０４０は、経心尖アプローチによって左室内に位置付けられ、心臓の左室内に弁送達システム２０４０を位置付けることは、心尖部にカテーテルを導入すること、並びに心尖部に隣接する心室壁を通ってカテーテルを導入することを含む。更に、上述したように、図４３では生来の僧帽弁の弁置換のために左室に導入されるものとして記載されているが、生来の三尖弁の弁置換のために、弁送達システム２０４０は、右室に同様に導入され得る。弁送達システム２０４０は操作され、拡張した変位構成要素３９３０の中央内腔３９３８を通って心臓の生来の僧帽弁輪に向かって前進させられる。弁送達システム２０４０が所望どおりに位置付けられた後、弁プロテーゼ１０１は、本発明の以前の実施形態に記載されるように完全に展開又は拡張されてよい。拡張した変位構成要素３９３０が弁プロテーゼ１０１の展開に干渉しないように位置付けられる限り、弁プロテーゼ１０１は、索管理カテーテル３９２０及び拡張した変位構成要素３９３０を定位置に配置したままで、完全に展開されてよい。次いで、弁送達システム２０４０は、拡張した変位構成要素３９３０の中央内腔３９３８を通って近位に後退させられてよく、その後、変位構成要素２４３０は再補足され、索管理カテーテル３９２０は取り出される。
【００６７】
本発明による様々な実施形態が上に記載されてきたが、それらは単に例示及び実施例として提示されたにすぎず、限定するものとして提示されたわけではないことを理解されたい。当業者には、本発明の趣旨及び範囲から逸脱することなく、形式及び詳細の様々な変更が可能であることは明らかであろう。したがって、本発明の広さ及び範囲は、上記の例示的な実施形態のいずれによっても限定されるべきではなく、添付の特許請求の範囲及びそれらの同等物に従ってのみ定義されるべきである。本明細書で論じられた各実施形態の各特徴部及び本明細書で引用された各参考文献は、他の実施形態の特徴部と組み合わせて使用し得ることも理解されたい。本明細書で論じる全ての特許及び刊行物は、参照によりこれらの全体が本明細書に援用されている。
【図１】
2020500060.tif 000003
【図２】
2020500060.tif 000004
【図３】
2020500060.tif 000005
【図４】
2020500060.tif 000006
【図５】
2020500060.tif 000007
【図５Ａ】
2020500060.tif 000008
【図６】
2020500060.tif 000009
【図７】
2020500060.tif 000010
【図８】
2020500060.tif 000011
【図９】
2020500060.tif 000012
【図１０Ａ】
2020500060.tif 000013
【図１０Ｂ】
2020500060.tif 000014
【図１０Ｃ】
2020500060.tif 000015
【図１０Ｄ】
2020500060.tif 000016
【図１１】
2020500060.tif 000017
【図１２】
2020500060.tif 000018
【図１３】
2020500060.tif 000019
【図１４】
2020500060.tif 000020
【図１５】
2020500060.tif 000021
【図１６】
2020500060.tif 000022
【図１６Ａ】
2020500060.tif 000023
【図１７】
2020500060.tif 000024
【図１７Ａ】
2020500060.tif 000025
【図１８】
2020500060.tif 000026
【図１９】
2020500060.tif 000027
【図２０】
2020500060.tif 000028
【図２０Ａ】
2020500060.tif 000029
【図２１】
2020500060.tif 000030
【図２２】
2020500060.tif 000031
【図２３】
2020500060.tif 000032
【図２４】
2020500060.tif 000033
【図２５】
2020500060.tif 000034
【図２６】
2020500060.tif 000035
【図２７】
2020500060.tif 000036
【図２７Ａ】
2020500060.tif 000037
【図２７Ｂ】
2020500060.tif 000038
【図２８】
2020500060.tif 000039
【図２９】
2020500060.tif 000040
【図３０】
2020500060.tif 000041
【図３１】
2020500060.tif 000042
【図３２】
2020500060.tif 000043
【図３３】
2020500060.tif 000044
【図３４】
2020500060.tif 000045
【図３５】
2020500060.tif 000046
【図３６】
2020500060.tif 000047
【図３７】
2020500060.tif 000048
【図３８】
2020500060.tif 000049
【図３９】
2020500060.tif 000050
【図４０】
2020500060.tif 000051
【図４１】
2020500060.tif 000052
【図４２】
2020500060.tif 000053
【図４３】
2020500060.tif 000054
【図４４】
2020500060.tif 000055
【図４５】
2020500060.tif 000056
【国際調査報告】
2020500060.tif 000057
2020500060.tif 000058
2020500060.tif 000059